(57)【要約】  下りリンク多入力多出力（MIMO）伝送で用いられるユーザ選択及びユーザ・スケジューリングの方法であって、ユーザたちが同じプリコーディング・マトリクス・インジケータ（PMI）を有するユーザ・グループの各々に関して、予め定められたスケジューリング・ルールに基づいて、ユーザたちによってSU-MIMOのシングルユーザ・フィードバックの方式でフィードバックされた情報に従って、候補ユーザ・セットを形成するように互いに補完させるステップ、及びすべての候補ユーザ・セットからスケジュールされたMU-MIMO伝送ユーザ・セットを選択するステップを含む方法が提供される。さらに、下りリンクMIMO伝送で用いられるユーザ・フィードバックとユーザ選択及びスケジューリングの方法であって、予め定められたスケジューリング・ルールに基づいて、各ユーザによってフィードバックされた少なくとも２つのCQIsに従って選択とスケジューリングを行ってスケジュールされたMU-MIMO伝送ユーザ・セットを決定するステップを含む方法が提供される。さらに、この方法を実施するための装置が提供される。本発明によって提供された方法及び装置によれば、システム・スループットが改善され、ユーザの選択範囲が広がり、ユーザ間の干渉とCQIのミスマッチングの問題が解決される。提供された複数CQIフィードバック・メカニズムによれば、MU-MIMO伝送におけるユーザの複数コードワード又は複数データストリーム伝送をサポートすることができ、得られるマルチユーザ・ダイバーシティ利得が向上する。
2013502780.tif 000002
【特許請求の範囲】
【請求項１】
電気通信システムにおける下りリンク・マルチユーザ多入力多出力（MU-MIMO）伝送と下りリンク・シングルユーザ多入力多出力（SU-MIMO）伝送の間の動的切り換えで用いられるユーザ選択及びユーザ・スケジューリングの方法であって、
前記電気通信システムにおいてMIMO伝送を実行できる少なくとも２人のユーザによってMIMO伝送に関する情報がSU-MIMOのシングルユーザ・フィードバック方式でフィードバックされるユーザ・フィードバック・ステップと、
前記少なくとも２人のユーザによってフィードバックされた情報に基づいて同じプリコーディング・マトリクス・インジケータ（PMI）を有するユーザたちをひとつのユーザ・グループにグループ分けし、前記ユーザ・グループのそれぞれに関して、予め定められたスケジューリング・ルールに基づいてそのユーザ・グループのユーザたちに比較的良好な伝送条件のそれぞれの異なるデータ伝送層によって互いに補完させて前記ユーザ・グループに対応する候補ユーザ・セットを形成し、前記候補ユーザ・セットが、補完に加わる層の伝送条件によって決まる最適な組合せ伝送条件を有するようにし、すべてのユーザ・グループについて得られた候補ユーザ・セットの間及び前記少なくとも２人のユーザとの比較を行って、前記電気通信システムの通信品質に関係する最高の優先度を有する候補ユーザ・セット又はユーザを、同じランク又は異なるランクを有するユーザがMU-MIMO伝送を行うスケジュールされたMU-MIMO伝送ユーザ・セット、又はSU-MIMO伝送を行うスケジュールされたSU-MIMO伝送ユーザと決定するユーザ選択ステップと、
前記スケジュールされたMU-MIMO伝送ユーザ・セットの各ユーザの、前記ユーザ選択ステップで決定された伝送モードに関する情報であり且つ前記下りリンクMU-MIMO伝送で用いられる情報をそれぞれのスケジュールされたユーザに送信するユーザ選択情報送信ステップと、を含む方法。
【請求項２】
MU-MIMO伝送又はSU-MIMO伝送においてLong Term Evolution (LTE)で規定されたプリコーディング・コードブックが用いられ、前記スケジュールされた伝送ユーザ・セットがMU-MIMO伝送を行うMU-MIMO伝送ユーザ・セットである場合、MU-MIMO伝送のプリコーディング・マトリクスが前記スケジュールされたMU-MIMO伝送ユーザ・セットの１人のユーザのプリコーディング・マトリクスと同じであることを特徴とする請求項１に記載の方法。
【請求項３】
前記スケジュールされたMU-MIMO伝送ユーザ・セットの各ユーザの伝送モードに関する情報がMU-MIMO伝送で用いられる前記ユーザのデータ伝送層の数及び前記ユーザに対応するコードワードとMU-MIMO伝送での前記データ伝送層の間のマッピング関係を含むことを特徴とする請求項１又は２に記載の方法。
【請求項４】
電気通信システムにおける下りリンク・マルチユーザ多入力多出力（MU-MIMO）伝送と下りリンク・シングルユーザ多入力多出力（SU-MIMO）伝送の間の動的切り換えで用いられる送信装置であって、
前記電気通信システムにおいてMIMO伝送を実行できる少なくとも２人のユーザによってSU-MIMOのシングルユーザ・フィードバック方式でフィードバックされたMIMO伝送に関する情報に基づいて、同じプリコーディング・マトリクス・インジケータ（PMI）を有するユーザをひとつのユーザ・グループにグループ分けし、前記ユーザ・グループのそれぞれに関して、予め定められたスケジューリング・ルールに基づいて、そのユーザ・グループのユーザたちに比較的良好な伝送条件のそれぞれの異なるデータ伝送層によって互いに補完させて前記ユーザ・グループに対応する候補ユーザ・セットを形成し、前記候補ユーザ・セットが、補完に加わる層の伝送条件によって決まる最適な組合せ伝送条件を有するようにし、すべてのユーザ・グループについて得られた候補ユーザ・セットの間及び前記少なくとも２人のユーザとの比較を行って、前記電気通信システムの通信品質に関係する最高の優先度を有する候補ユーザ・セット又はユーザを、同じランク又は異なるランクを有するユーザがMU-MIMO伝送を行うスケジュールされたMU-MIMO伝送ユーザ・セット又はSU-MIMO伝送を行うスケジュールされたSU-MIMO伝送ユーザと決定するユーザ選択ユニットと、
前記スケジュールされたMU-MIMO伝送ユーザ・セットの各ユーザの、前記ユーザ選択ユニットで決定された伝送モードに関する情報であり且つ前記下りリンクMU-MIMO伝送で用いられる情報をそれぞれのスケジュールされたユーザに送信するユーザ選択情報送信ユニットと、を備える送信装置。
【請求項５】
MU-MIMO伝送又はSU-MIMO伝送においてLong Term Evolution (LTE)で規定されたプリコーディング・コードブックが用いられ、前記スケジュールされた伝送ユーザ・セットが前記送信装置とMU-MIMO伝送を行うMU-MIMO伝送ユーザ・セットである場合、MU-MIMO伝送のプリコーディング・マトリクスが前記スケジュールされたMU-MIMO伝送ユーザ・セットの１人のユーザのプリコーディング・マトリクスと同じであることを特徴とする請求項４に記載の送信装置。
【請求項６】
前記スケジュールされたMU-MIMO伝送ユーザ・セットの各ユーザの伝送モードに関する情報は、MU-MIMO伝送で用いられる前記ユーザのデータ伝送層の数と、前記ユーザに対応するコードワードとMU-MIMO伝送の前記データ伝送層の間のマッピング関係を含むことを特徴とする請求項４又は５に記載の送信装置。
【請求項７】
電気通信システムにおける下りリンク・マルチユーザ多入力多出力（MU-MIMO）伝送と下りリンク・シングルユーザ多入力多出力（SU-MIMO）伝送の間の準静的切り換えで用いるユーザ・フィードバックとユーザ選択及びスケジューリングの方法であって、
前記電気通信システムにおいてMIMO伝送を実行できる少なくとも２人のユーザの各々により、比較的良好な伝送条件のユーザのデータ伝送層と一対一で対応する少なくとも２つのチャンネル品質インジケータ（CQIs）をフィードバックするユーザ・フィードバック・ステップと、
前記少なくとも２人のユーザに関して、前記少なくとも２人のユーザによってフィードバックされたすべてのCQIsによって、予め定められたスケジューリング・ルールに基づいて選択とスケジューリングを行って、ひとつのコードワード又は複数のコードワードに対応するユーザがMU-MIMO伝送を行うスケジュールされたMU-MIMO伝送ユーザ・セットを決定するユーザ選択ステップと、
前記スケジュールされたMU-MIMO伝送ユーザ・セットの各ユーザの伝送モードに関する情報であり且つ前記下りリンクMU-MIMO伝送で用いられる情報をそれぞれのスケジュールされたユーザに送信するユーザ選択情報送信ステップと、を含む方法。
【請求項８】
前記スケジュールされたMU-MIMO伝送ユーザ・セットの少なくとも１人のユーザの間で１人以上のユーザの各々に関して、前記少なくとも１人のユーザが複数のコードワードに対応する場合に、前記ユーザ選択ステップがさらに、
MU-MIMO伝送に選択されたユーザの各コードワードのCQIに基づいて、前記ユーザの単一の結合されたコードワードの変調及び符号化モードを予め設定された適応的な変調及び符号化アルゴリズムに従って決定するプロセスと、
複数のコードワードを結合して前記決定された変調及び符号化モードに従ってある長さの単一の結合されたコードワードを選択し、前記単一の結合されたコードワードを前記複数のコードワードに割り当てられた複数のデータ伝送層にマップするプロセスと、
を行うステップを行うことを含むことを特徴とする請求項７に記載の方法。
【請求項９】
前記電気通信システムにおける送信装置がユニタリー・マトリクスに基づくプリコーディング・モード又はZero-Forcing (ZF)ビームフォーミングに基づくプリコーディング・モードを用いてプリコーディングを実行することを特徴とする請求項７又は８に記載の方法。
【請求項１０】
電気通信システムにおける下りリンク・マルチユーザ多入力多出力（MU-MIMO）伝送と下りリンク・シングルユーザ多入力多出力（SU-MIMO）伝送の間の準静的切り換えで用いられるユーザ装置であって、
前記システムの送信装置へ、比較的良好な伝送条件のユーザ装置のデータ伝送層と一対一に対応する少なくとも２つのチャンネル品質インジケータ（CQIs）をフィードバックするように構成されたユーザ情報フィードバック・ユニットを備え、
前記CQIsはMU-MIMO伝送とSU-MIMO伝送の間の準静的切り換えの際に前記送信装置によって行われるユーザ選択及びスケジューリングで用いられることを特徴とするユーザ装置。
【請求項１１】
電気通信システムにおける下りリンク・マルチユーザ多入力多出力（MU-MIMO）伝送と下りリンク・シングルユーザ多入力多出力（SU-MIMO）伝送の間の準静的切り換えで用いられる送信装置であって、
前記電気通信システムにおいてMIMO伝送を実行できる少なくとも２人のユーザに関して、前記少なくとも２人のユーザの各々によってフィードバックされた少なくとも２つのCQIsを含み、比較的良好な伝送条件のユーザのデータ伝送層と一対一で対応するすべてのチャンネル品質インジケータ（CQIs）に従って、ある予め定められたスケジューリング・ルールに基づいて、選択とスケジューリングを行って、同じランク又は異なるランクを有し前記送信装置とのMU-MIMO伝送を行うスケジュールされたMU-MIMO伝送ユーザ・セットを決定するユーザ選択ユニットと、
前記スケジュールされたMU-MIMO伝送ユーザ・セットの各ユーザの伝送モードに関する情報であり且つ前記下りリンクMU-MIMO伝送で用いられる情報をそれぞれのスケジュールされたユーザに送信するユーザ選択情報送信ユニットと、を備える送信装置。
【請求項１２】
前記スケジュールされたMU-MIMO伝送ユーザ・セットの少なくとも１人のユーザの間で１人以上のユーザの各々に関して、前記少なくとも１人のユーザが複数のコードワードに対応する場合に、前記ユーザ選択ユニットがさらに、
MU-MIMO伝送に選択されたユーザの各コードワードのCQIに基づいて、前記ユーザの単一の結合されたコードワードの変調及び符号化モードを予め設定された適応的な変調及び符号化アルゴリズムに従って決定するプロセスと、
複数のコードワードを結合して前記決定された変調及び符号化モードに従ってある長さの単一の結合されたコードワードを選択し、前記単一の結合されたコードワードを前記複数のコードワードに割り当てられた複数のデータ伝送層にマップするプロセスと、
を行うように構成されていることを特徴とする請求項１１に記載の送信装置。
【請求項１３】
機械で読み取り可能な格納された命令コードを含むプログラム製品であって、前記命令コードは、コンピュータによって読み取られ実行されると、前記機械に請求項１〜３のいずれか１項に記載の方法又は請求項７〜９のいずれか１項に記載の方法を実行させることを特徴とするプログラム製品。
【請求項１４】
請求項１３に記載のプログラム製品をその内部に格納する機械読み取り可能な記憶媒体。
【発明の詳細な説明】
【技術分野】
【０００１】
本発明は、一般に通信技術の分野に関し、詳しくは電気通信システムにおいて下りリンク多入力多出力(MIMO)伝送を実施するための方法及び装置に関する。
【背景技術】
【０００２】
3GPPの次世代ワイヤレス電気通信システム、すなわちLong Term Evolution (LTE)-Advanced、では、下りリンクに関して1 Gpsというピーク速度と30 bps/Hzというピーク・スペクトル効率を提供することが必要とされ、これがシステムの物理層伝送スキームにとっての課題になっている。マルチユーザ多入力多出力(MU-MIMO)伝送では、時間及び周波数領域で同じリソースを占有する多数のデータストリームが基地局から異なるユーザに送られる。MU-MIMO伝送では、マルチユーザ・システムのブロードキャスト・チャンネルの容量がフルに利用され、空間次元でマルチユーザ・ダイバーシティ利得が得られ、LTE-Advanced (LTE-A)の要求により良く合致する。
【０００３】
LTEシステムは、MU-MIMO伝送スキームをサポートしてシステムのスループットを高めるが、ユーザの選択とスケジューリングに次のような問題がある。（１）チャンネル品質インジケーター（CQI）を推定したとき、各ユーザは他のユーザが用いるプリコーディング・マトリクスを知らず、そのためにCQIの推定値が正確さを欠き、CQIのミスマッチングがシステムの性能に影響する。（２）各ユーザ端末はプリコーディング・ベクトルを独立に選択するので、多数のユーザの間の相互干渉がシステム内で十分に抑制されると保証されない。（３）LTEシステムは各ユーザのシングルランク伝送だけをサポートする。送信装置のアンテナの数が増加するにつれて、この伝送での信号オーバーヘッドが著しく増加する。マルチユーザ・スケジューリング利得をさらに図り、信号オーバーヘッドを減らすためには、システムは各ユーザの高ランク伝送をサポートする必要がある。（４）信号／ユーザ・システムとマルチユーザ・システムは同じフィード方式を用いており、このためシステム性能をさらに向上させるためのフィードバック情報を十分に供給することができない。これらの問題や制約があるから、ユーザ・フィードバックとユーザ選択とスケジューリングの新しいスケジュールを、LTE-AシステムにおけるMU-MIMO伝送のために設計してシステムの性能を向上させる必要がある。
【０００４】
本発明で言及される下りリンクMU-MIMO伝送に関連する背景知識と現在の問題点につての基本的な理解を助けるために、以下にいくつかの参照文献を示す。これらは、本明細書で詳しく述べるように、その全体が参照によって本明細書に組み込まれる。
【先行技術文献】
【特許文献】
【０００５】
【特許文献１】PCT国際特許出願No. WO 2009083783 A2、2009年7月9日公開、表題「下りリンク・マルチユーザMIMOにおける最適なユーザ・ペアリング」、Hottinen Ari Tanapi et al.
【特許文献２】米国特許出願No. US 20080025336 A1、2008年1月31日公開、表題「多入力多出力（MIMO）システムにおけるマルチユーザ／信号ユーザをスケジュールする装置及び方法」、Myeon-Kyun CHO et al.
【特許文献３】国際特許出願No. WO 2008049366 A1、2008年5月2日公開、表題「SDMAコードブック作成方法及びその装置及びスケジューリング方法とその装置及びシステム」、Yongming et al.
【特許文献４】米国特許出願No. US 20070066229 A1、2007年3月22日公開、表題「マルチユーザMIMO下りリンク伝送における半直交ユーザグループ選択の閾値を見つける方法及びシステム」、Chenjing Zhang et al.
【特許文献５】米国特許出願No. US 20070064829 A1、2007年3月22日公開、表題「FDDマルチユーザMIMO下りリンク伝送のための有限速度チャンネル状態情報フィードバックによる単純なユーザグループ選択方式のための方法及び装置」、Jun Zheng et al.
【特許文献６】米国特許出願No. US 20060209764 A1、2006年9月21日公開、表題「マルチユーザMIMO通信システムのためのユーザ・スケジューリング方法」、Ho-Jin Kim et al.
【非特許文献】
【０００６】
【非特許文献１】3GPP TR36.913.,「Requirement for further advancements for Evolved Universal Terrestrial Radio Access (E-UTRA)」
【発明の概要】
【０００７】
上述した従来技術の問題と欠点に鑑み、本発明は上記の問題のひとつ以上を解決するために、LTEシステムにおける下りリンクMU-MIMO伝送で用いられるユーザ・フィードバックとユーザ選択及びスケジューリングのための改良されたスキームを提供する。
【０００８】
本発明のある実施形態では、電気通信システムにおける下りリンク・マルチユーザ多入力多出力（MU-MIMO）伝送と下りリンク・シングルユーザ多入力多出力（SU-MIMO）伝送の間の動的な切り換えに用いられるユーザ選択及びユーザ・スケジューリングの方法が提供される。この方法は、電気通信システムにおいてMIMO伝送を実行できる少なくとも２人のユーザによってMIMO伝送に関する情報がSU-MIMOのシングルユーザ・フィードバック方式でフィードバックされるユーザ・フィードバック・ステップと、この少なくとも２人のユーザによってフィードバックされた情報に基づいて同じプリコーディング・マトリクス・インジケータ（PMI）を有するユーザをグループにし、各ユーザ・グループに関して、予め定められたスケジューリング・ルールに基づいて、ユーザ・グループにおけるユーザたちに比較的良好な伝送条件のそれぞれのデータ伝送層によって互いに補完させて前記ユーザ・グループに対応する候補ユーザ・セットを形成し、候補ユーザ・セットが補完する層の伝送条件によって決まる最適な伝送条件を有するようにし、すべてのユーザ・グループに対して得られた候補ユーザ・セットの間及び前記少なくとも２人のユーザで比較を行って、電気通信システムの通信品質と関する最高の優先度を有する候補ユーザ・セット又はユーザを、同じランク又は異なるランクを有するユーザがMU-MIMO伝送を行うスケジュールされたMU-MIMO伝送ユーザ・セット又はSU-MIMO伝送を行うスケジュールされたSU-MIMO伝送ユーザであると決定するユーザ選択ステップと、ユーザ選択ステップで決定された、スケジュールされたMU-MIMO伝送ユーザ・セットにおける各ユーザの伝送モードに関する情報であり且つ下りリンクMU-MIMO伝送で用いられる情報を、それぞれのスケジュールされたユーザに対して送信するユーザ選択情報送信ステップとを含む。
【０００９】
本発明の別の実施形態では、電気通信システムにおいて下りリンク・マルチユーザ多入力多出力（MU-MIMO）伝送と下りリンク・シングルユーザ多入力多出力（SU-MIMO）伝送の間の動的な切り換えで用いられる送信装置が提供される。この装置は、電気通信システムにおいてMIMO伝送を実行できる少なくとも２人のユーザによってSU-MIMOのシングルユーザ・フィードバックの方式でフィードバックされるMIMO伝送に関する情報に基づいて同じプリコーディング・マトリクス・インジケータ（PMI）を有するユーザたちをひとつのユーザ・グループにグループ分けし、各ユーザ・グループに関して、予め定められたスケジューリング・ルールに基づいて、そのユーザ・グループのユーザたちに比較的良好な伝送条件の異なるそれぞれのデータ伝送層で互いに補完させてそのユーザ・グループに対応する候補ユーザ・セットを形成し、前記候補ユーザ・セットがこの補完に加わる層の伝送条件によって決まる最適の組合せ伝送条件を有するようにし、前記少なくとも２人のユーザを含めてすべてのユーザ・グループについて得られた候補ユーザ・セットの間で比較を行い、前記電気通信システムの通信品質に関する最も高い優先度の候補ユーザ・セット又はユーザを、同じランク又は異なるランクを有するユーザがMU-MIMO伝送を行うスケジュールされたMU-MIMO伝送ユーザ・セット、又はSU-MIMO伝送を行うスケジュールされたSU-MIMO伝送ユーザと、決定するユーザ選択ユニットと、ユーザ選択ユニットによって決定された、スケジュールされたMU-MIMO伝送ユーザ・セットの各ユーザの伝送モードに関する情報であり且つ下りリンクMU-MIMO伝送で使用される情報をそれぞれのスケジュールされたユーザに送信するように構成されたユーザ選択情報送信ユニットと、を含む。
【００１０】
本発明のさらに別の実施形態では、電気通信システムにおいて下りリンク・マルチユーザ多入力多出力（MU-MIMO）伝送と下りリンク・シングルユーザ多入力多出力（SU-MIMO）伝送の間の準静的な切り換えに用いられるユーザ・フィードバックとユーザ選択及びスケジューリングの方法が提供される。この方法は、電気通信システムでMIMO伝送を実行できる少なくとも２人のユーザの各々が比較的良好な伝送条件のユーザのデータ伝送層と一対一で対応する少なくとも２つのチャンネル品質インジケータ（CQIs）をフィードバックするユーザ・フィードバック・ステップと、予め定められたスケジューリング・ルールに基づいて、上記少なくとも２人のユーザに関して、この少なくとも２人のユーザによってフィードバックされたすべてのCQIsに従って、ひとつのコードワード又は多数のコードワードに対応するユーザがMU-MIMO伝送を行うためのスケジュールされたMU-MIMO伝送ユーザ・セットを決定するように選択とスケジューリングを行うユーザ選択ステップと、スケジュールされたMU-MIMO伝送ユーザ・セットの各ユーザの伝送モードに関する情報であり且つ下りリンクMU-MIMO伝送で用いられる情報をそれぞれのスケジュールされたユーザに送信するユーザ選択情報送信ステップと、を含む。
【００１１】
本発明のさらに別の実施形態では、電気通信システムにおいて下りリンク・マルチユーザ多入力多出力（MU-MIMO）伝送と下りリンク・シングルユーザ多入力多出力（SU-MIMO）伝送の間の準静的な切り換えに用いられるユーザ装置が提供される。この装置は、比較的良好な伝送条件のユーザ装置と一対一で対応する少なくとも２つのチャンネル品質インジケータ（CQIs）をシステムの送信装置にフィードバックするように構成されたユーザ情報フィードバック・ユニットを含み、このCQIsは送信装置がMU-MIMO伝送とSU-MIMO伝送の間の準静的な切換えのさいにユーザ選択及びスケジューリングで用いられる。
【００１２】
本発明のさらに別の実施形態では、電気通信システムにおいて下りリンク・マルチユーザ多入力多出力（MU-MIMO）伝送と下りリンク・シングルユーザ多入力多出力（SU-MIMO）伝送の間の準静的な切り換えに用いられる送信装置が提供される。この送信装置は、予め定められたスケジューリング・ルールに基づいて、電気通信システムにおいてMU-MIMO伝送を行うことができる少なくとも２人のユーザに関して、上記少なくとも２人のユーザによってフィードバックされた、比較的良好な伝送条件のユーザのデータ伝送層と一対一で対応する少なくとも２つのCQIsを含むすべてのチャンネル品質インジケータ（CQIs）に従って、選択とスケジューリングを行って、ひとつのコードワード又は多数のコードワードに対応するユーザのスケジュールされたMU-MIMO伝送ユーザ・セットを決定するように構成されたユーザ選択ユニットと、スケジュールされたMU-MIMO伝送ユーザ・セットの各ユーザの伝送モードに関する情報でありMU-MIMO伝送で用いられる情報をそれぞれのスケジュールされたユーザに送信するように構成されるユーザ選択情報送信ユニットと、を含む。
【００１３】
下りリンクMU-MIMO伝送と下りリンクSU-MIMO伝送の間の動的な切り換えで用いられるユーザ選択及びユーザ・スケジューリングの前記方法によれば、任意のランクの場合のユーザ選択が考えられており、各ユーザのシングル・ランク伝送への制限は排除され、ユーザ選択の範囲が広がり、システムのスループットが向上する。さらに、LTE-Aシステムにおいてユーザ間に何も情報相互作用がない場合に生ずる干渉ミスマッチングの問題がより良く解決される。
【００１４】
下りリンクMU-MIMO伝送と下りリンクSU-MIMO伝送の間の準静的な切り換えで用いられるユーザ・フィードバック及びユーザ選択及びユーザ・スケジューリングの方法によれば、複数のコードワード／層のCQIsがユーザ装置でフィードバックされ、基地局のユーザのためにより多くの情報が得られる。この方法によれば、各ユーザの複数のコードワード／層を基地局でサポートすることができ、ユーザの選択の範囲が広がり、システムが得られるマルチユーザ・ダイバーシティ利得とシステム・スループットが確実に改善される。同じユーザの複数のコードワードをひとつのコードに組み合わせるならば、信号オーバーヘッドが減少するであろう。
【００１５】
本発明の上記の及びその他の目的、特徴及び利点は、本発明の実施形態についての以下の説明を添付の図面と併せて参照することで理解しやすくなるであろう。図面における構成要素は正確な比率で描かれたものではなく、本発明の原理を示すことを意図したものである。図面において、同じ又は同様の参照数字は同じ又は同様の技術的特徴を表している。図面のうち：
【図面の簡単な説明】
【００１６】
【図１】MU-MIMO伝送を実現できる電気通信システムの基本構成を示す単純化されたブロック・ダイアグラムである。
【図２】MU-MIMO伝送のある実施（implement）の原理を示す説明図である。
【図３】本発明のある実施形態に係わる電気通信システムにおける下りリンク・マルチユーザ多入力多出力（MU-MIMO）伝送と下りリンク・シングルユーザ多入力多出力（SU-MIMO）伝送の間の動的な切り換えに用いられるユーザ選択及びユーザ・スケジューリングの方法を示す単純化された流れ図である。
【図４Ａ】LTEシステムにおける空間多重化伝送モードでの層の間のマッピング関係を示す説明図である。
【図４Ｂ】LTEシステムにおける空間多重化伝送モードでの層の間のマッピング関係を示す説明図である。
【図４Ｃ】LTEシステムにおける空間多重化伝送モードでの層の間のマッピング関係を示す説明図である。
【図４Ｄ】LTEシステムにおける空間多重化伝送モードでの層の間のマッピング関係を示す説明図である。
【図５Ａ】図６に示されるユーザ選択及びユーザ・スケジューリングの方法で用いるプリコーディング・コードブックを示す図である。
【図５Ｂ】図６に示されるユーザ選択及びユーザ・スケジューリングの方法で用いるプリコーディング・コードブックを示す図である。
【図６】図３によるユーザ選択及びユーザ・スケジューリングの方法のある具体例を示す単純化された流れ図である。
【図７Ａ】図６に示されるような例で、ランク＝２のユーザとランク＝３のユーザから可能なMU-MIMOユーザ・セットを形成するモードを示す概略図である。
【図７Ｂ】図６に示されるような例で、ランク＝２のユーザとランク＝３のユーザから可能なMU-MIMOユーザ・セットを形成するモードを示す概略図である。
【図７Ｃ】図６に示されるような例で、ランク＝２のユーザとランク＝３のユーザから可能なMU-MIMOユーザ・セットを形成するモードを示す概略図である。
【図８】図６に示されるような下りリンクMU-MIMO伝送と下りリンクSU-MIMO伝送との間の動的な切り換えで用いられるユーザ選択及びユーザ・スケジューリングの方法を示す詳細な流れ図である。
【図９】本発明のある実施形態に係わる電気通信システムにおける下りリンク・マルチユーザ多入力多出力（MU-MIMO）伝送と下りリンク・シングルユーザ多入力多出力（SU-MIMO）伝送の間の動的な切り換えに用いられる送信装置を示す単純化されたブロック図である。
【図１０】本発明の別の実施形態に係わる電気通信システムにおける下りリンク・マルチユーザ多入力多出力（MU-MIMO）伝送と下りリンク・シングルユーザ多入力多出力（SU-MIMO）伝送の間の準静的な切り換えに用いられるユーザ・フィードバックとユーザ選択及びスケジューリングの方法を示す単純化された流れ図である。
【図１１】図１０によるユーザ・フィードバックとユーザ選択及びスケジューリングの方法の具体例を示す単純化された流れ図である。
【図１２】図１１に示されるような下りリンクMU-MIMO伝送と下りリンクSU-MIMO伝送の間の準静的な切り換えに用いられるユーザ・フィードバックとユーザ選択及びスケジューリングの方法を示す詳細な流れ図である。
【図１３】本発明のある実施形態に係わる電気通信システムにおける下りリンク・マルチユーザ多入力多出力（MU-MIMO）伝送と下りリンク・シングルユーザ多入力多出力（SU-MIMO）伝送の間の準静的な切り換えに用いられる送信装置を示す説明図である。
【図１４】本発明のある実施形態に係わる電気通信システムにおける下りリンク・マルチユーザ多入力多出力（MU-MIMO）伝送と下りリンク・シングルユーザ多入力多出力（SU-MIMO）伝送の間の準静的な切り換えに用いられるユーザ装置を示す説明図である。
【発明を実施するための形態】
【００１７】
以下、本発明の実施形態について図面を参照して説明する。本発明で、ある図又は実施形態で記述される要素や特徴が一つ以上の他の図又は実施形態で記述される要素や特徴と結びつけられることがある。本発明と無関係であり当業者に公知である構成要素やプロセスの表現や記述が、本発明の理解に混乱を生じないように図面や説明で省かれていることに注意したい。
【００１８】
図１は、MU-MIMO伝送のための電気通信システムの基本構成を示す単純化されたブロック図である。図１に示されるよう、移動局（ユーザ装置）１０，１０’はワイヤレス・ネットによって基地局１２と通信し、例えば下りリンクMU-MIMO伝送を実行する。ワイヤレス・ネットワークは、ネットワーク制御装置１３又はゲートウエイを含み、それによって（インターネットなどの）ネットワーク１４と接続する。移動局１０は、データ記憶部とプログラム記憶部を含む記憶部、メディア・アクセス・ユニットとフィードバック・ユニットを含むデータ・プロセッサ、基地局との双方向ワイヤレス通信のための無線周波数（RF）トランシーバ１５Ｂ、及び複数のアンテナ１１Ｂを含む。基地局１２は、複数のアンテナ１１Ａ、RFトランシーバ１５Ａ、ユーザ選択スケジューラと下りリンク制御インジケータを含むデータ・プロセッサ、及びデータ記憶部とプログラム記憶部を含む記憶部を含む。下りリンク伝送を行うため、移動局１０と１０’は自分たちに関する情報を基地局１２にフィードバックし、基地局１２は受信したフィードバック情報にしたがってユーザ選択スケジューラによって各移動局についてユーザ選択とスケジューリングを行って、移動局に対して行うMU-MIMO伝送を決定する。そして、移動局に対して、下りリンクMU-MIMO伝送で用いる対応するユーザ選択情報を下りリンク制御インジケータによって通知する。基地局１２はまた、移動局１０及び１０’とそれぞれSU-MIMO伝送を行うこともできる。
【００１９】
図２は、マルチユーザ多入力多出力MU-MIMO伝送の基本原理を示す。図２に示されるように、基地局２２がＫ個のユーザ装置に、すなわちユーザ装置１，２，……Ｋにサービスを提供している。基地局２２はＫ人のユーザから比較的高い優先度の複数のユーザをあるスケジューリング戦略すなわちスケジューリング・ルールに従って選択し、同じ時間及び周波数リソースによって空間多重化方式でこの複数のユーザに同時にサービスを提供する。図２に示す場合では、ユーザ装置１とユーザ装置Ｋ−１が基地局２２と下りリンクMU-MIMO伝送を行うように選択されたスケジュールされたユーザである。
【００２０】
図３は、電気通信システムにおける下りリンク・マルチユーザ多入力多出力（MU-MIMO）伝送と下りリンク・シングルユーザ多入力多出力（SU-MIMO）伝送の間の動的な切り換えで用いられるユーザ選択及びユーザ・スケジューリングの方法を示す単純化した流れ図である。図３に示されるように、ユーザ・フィードバック・ステップＳ３１０で、この電気通信システムでMIMO伝送を実施できる少なくとも２人のユーザがSU-MIMOのシングルユーザ・フィードバック方式でMIMO伝送に関する情報をフィードバックする。ユーザ選択スケジューリングＳ３２０で、該少なくとも２人のユーザによってフィードバックされた情報に基づいて、同じプリコーディング・マトリクス・インジケータ（PMI）を有するユーザが一つのユーザ・グループにまとめられ、それぞれのユーザ・グループに関して、予め定められたスケジューリング・ルールに基づいて、そのユーザ・グループのユーザに比較的良好な伝送条件のそれぞれの異なるデータ伝送層で互いに補完させてそのユーザ・グループに対応する候補ユーザ・セットを形成し、この候補ユーザ・セットはこの補完に加わる層の伝送条件によって決まる最適な組合せ伝送条件を有するようにする。すべてのユーザ・グループで得られた候補ユーザ・セット及び該少なくとも２人のユーザの間で比較が行われて最も高い優先度を有するユーザ・セット又はユーザがMU-MIMO伝送を行うスケジュールされたMU-MIMO伝送ユーザ・セット又はSU-MUMO伝送を行うスケジュールされたSU-MIMO伝送ユーザであると決定される。前記スケジュールされたMU-MIMO伝送ユーザ・セットのユーザは同じランク又は異なるランクを有し、優先度は電気通信システムの通信品質に関係する。ユーザ選択情報送信ステップＳ３３０で、前記スケジュールされたMU-MIMO伝送ユーザ・セットにおける各ユーザの伝送モードに関するステップＳ３２０で決定された情報がそれぞれのスケジュールされたユーザに送信されるが、この情報は下りリンクMU-MIMO伝送で用いられる。
【００２１】
本発明のこの実施形態に係わるユーザ選択及びユーザ・スケジューリングの方法を具体例と併せて詳しく説明して、下りリンクMU-MIMO伝送と下りリンクSU-MIMO伝送の間の動的な切り換えで用いられるユーザ選択とユーザ・スケジューリングの方法の本質を理解する助けにしたい。
【００２２】
最初に、現在のLTEシステムにおける空間多重化伝送モードでの層の間のマッピング関係を図４Ａ−４Ｄを参照して簡単に説明する。システムがサポートできるデータ伝送層の数（ランク）が３より小さい場合、図４Ａ、４Ｂに示されるように一つのコードワードが一つのデータ伝送層にマップされる。システムがサポートできるデータ伝送層のランクが３以上である場合、図４Ｃ、４Ｄに示されるように一つのコードワードが２つのデータ伝送層にマップされることが可能である。図で、MTB,iはi番目のコーディング・ブロックが搬送するシンボルの数であり、MLa,iはi番目のデータ伝送層が搬送するシンボルの数、すなわち搬送されるデータの量である。
【００２３】
さらに、この実施形態によるユーザ選択及びユーザ・スケジューリングの方法で用いられるコードブックが図５Ａ−５Ｂに示されており、このコードブックはLTE標準において現在定めているコードブックであって次の３つの原則に従って設計されている。
・コードブックの個々のエレメントは一定の振幅を有し、伝送電力をバランスさせるようになっている。
・同じコードブック・インジケータ・シリアルナンバーで異なるデータ伝送層ナンバー（ランク）に対応するコードブックは入れ子の特性を満たす。すなわち、コードブック・インジケータ・シリアルナンバーが同じ場合、低いランク（図５Ａ−５Ｂに示されるコードブックで左から２番目の列の「データ伝送層のナンバー」に対応する）のプリコーディング・マトリクスは、高いランクのプリコーディング・マトリクスのいくつかの列から成り、異なるランクのCQIの計算を簡単にしている（コードブックTx=2のコードブック・インジケータ・シリアルナンバーが０である場合を除く）。
・QPSK変調シンボルを用いて送信アンテナのコードブックTx=2を表し、8PSK変調シンボルを用いて送信アンテナのコードブックTx=4を表して、複素数の乗算をできるだけ減らすようにする。
【００２４】
図６は、この具体例によるユーザ選択とユーザ・スケジューリングの方法の流れ図を示す。図６に示されているように、この方法は具体的に次のスケジューリングを含む。
【００２５】
ステップＳ６１０で、ユーザは、下りリンク・チャンネルについての推定される情報によってSU-MIMO伝送方式でユーザがサポートできるデータ伝送層の最大数、すなわちチャンネル・マトリクスのランク、を計算し、チャンネル・ランク・インジケータRIを送信装置（基地局など）にフィードバックし、現在の最適PMI（図５Ａ−５Ｂに示されるコードブックで最左端の欄のコードブック・インジケータ・シリアルナンバーに対応するプリコーディング・マトリクス・インジケータ）と対応するチャンネル品質インジケータ（CQI）をフィードバックする。
【００２６】
ステップＳ６２０で、送信装置は、サービスを提供するＭ人のユーザすべてについてRI、PMI、CQI情報を含むフィードバック情報を集め、同じPMIのユーザをグループにしてＧ’組のユーザ・セットAPMI0, APMI1, ・・APMIg’, G’≦Gにする、ここでPMIgはPMIの値がgであることを表し、gの最大値Gは基地局の送信アンテナに関係する。図５Ａ−５Ｂに示されるようなコードブックでは、送信アンテナTx=2であればG=3であり、送信アンテナTx=4であればG=15である。
【００２７】
ステップＳ６３０で、ステップＳ６２０で得られたＧ’組のユーザ・セットAPMI0, APMI1, ・・APMIg’から、あるステップ戦略に従って、ユーザが互いに組み合うように選ばれる。すなわち、良好な伝送条件を有する何人かのユーザが各ユーザ・セットAPMIgから選ばれ、互いに組み合わされ、組み合わされたユーザ・セットはMU-MIMO伝送候補ユーザ・セットを形成する。このMU-MIMO伝送候補ユーザ・セットに対応するMU-MIMO伝送のデータ伝送層の数（すなわち、対応するランク）は、MU-MIMO伝送候補ユーザ・セットのあるユーザからフィードバックされたRIに等しい、言い換えると、MU-MIMO伝送のプリコーディング・マトリクスがそのセットのあるユーザのプリコーディング・マトリクスと同じになるようにする。こうして、CQIのミスマッチという問題がないユーザが少なくとも一人あることが保証され、LTEが定めるコードブックの直交性により、MU-MIMO伝送における個々のユーザの間の干渉が減少する又はなくなる。したがって、Ｇ’組のユーザ・セットに関して、Ｑ組のMU-MINO伝送候補ユーザ・セットが得られる、ここでＱはＧ’以下である。
【００２８】
上記ステップＳ６３０で、各ユーザ・セットAPMI0, APMI1, ・・APMIG’のユーザをあるステップ戦略に従って互いに組み合わせるプロセスは、実際には良好な伝送条件を有するユーザが“互いに補完する”ようにするプロセスである。例えば、ユーザＮのｎ番目のデータ伝送層が良好な伝送条件を有し、ユーザＭのｍ番目のデータ伝送層が良好な伝送条件を有する場合、ユーザＭのｎ番目のデータ伝送層又は他の可能なデータ伝送層をユーザＮのｎ番目のデータ伝送層で置き換えて、又はユーザＮのｍ番目のデータ伝送層又は他の可能なデータ伝送層をユーザＭのｍ番目のデータ伝送層で置き換えて、対にする又は組合せて、置き換えプロセスの後で得られるMU-MIMO伝送のためのユーザ・セットの伝送条件がシングル・ユーザＮとシングル・ユーザＭの両方よりも良くなるようにできる。この組合せプロセスは、組み合わされたユーザＮとユーザＭに対して良好な伝送条件を有するデータ伝送層に基づいて行われた“補完”と考えることができ、組み合わされたMU-MIMO伝送ユーザたちに関連するセットの伝送条件はこの組合せに加わるユーザのデータ伝送層の伝送条件によって決まる。ここで述べた“補完”組合せプロセスで、組合せに加わるユーザＮとユーザＭを組み合わせることができるかどうか、及び組合せ後の具体的なMU-MIMO伝送モード、はシステムがサポートできるMU-MIMO伝送モードに依存することに注意しておきたい。これについてはあとでさらに述べる。
【００２９】
ステップＳ６４０で、送信装置は、Ｑ組のMU-MIMO伝送候補ユーザ・セット全部から、スケジュールされたMU-MIMO伝送ユーザ・セットとして用いるために最適の伝送条件を有するMU-MIMO伝送候補ユーザ・セットを選択する。さらに、スケジュールされたMU-MIMO伝送ユーザ・セットは、システムのSU-MIMO伝送ユーザ（すなわち、MIMOを行うすべてのシングル・ユーザ）と、あるスケジューリング戦略に従って比較され、最高の優先度を有するMU-MIMO伝送ユーザ・セット又はSU-MIMO伝送ユーザを、下りリンクMU-MIMO伝送又は下りリンクSU-MIMO伝送を行うためのスケジュールされたユーザ・セット又はユーザとして用いるために選択する。
【００３０】
ここまでで、下りリンクMU-MIMO伝送と下りリンクSU-MIMO伝送の間の動的な切り換えのさいのユーザ選択とユーザ・スケジューリング・プロセスは完了した。
【００３１】
上述のように、この実施形態におけるコードブックは図５Ａ−５Ｂに示されているようなコードブックである。このコードブックに関して、ユーザによってSU-MIMO方式でフィードバックされたPMIsが同じでない場合、MU-MIMO伝送の構成されたプリコーディング・ベクトルの直交性が壊れる可能性があり、ユーザ間の干渉が入り込む可能性がある。さらに、異なるPMIsはプリコーディング・ベクトルと伝送の干渉を不確かなものにし、CQIミスマッチングが生じてシステムのスループットが減少する。しかし、本発明のこの実施形態によるユーザ選択及びユーザ・スケジューリングの方法では、同じPMIのユーザが組み合わせられ、組み合わせられたMU-MIMOのプリコーディング・マトリクスはユーザの一人のプリコーディング・マトリクスと同じになるようにしており、したがってMU-MIMOでのユーザ間の干渉は回避され、SU-MIMOとMU-MIMO伝送の間のミスマッチングの問題はより良く解決される。
【００３２】
さらに、ステップＳ６４０でMU-MIMO伝送が比較することによって行われる場合、変調及び符号化スキームはスケジュールされたMU-MIMO伝送ユーザ・セットに対して、このユーザ・セットによってフィードバックされたCQIに従ってこのユーザ・セットのデータを変調し符号化するように選ばれる。次に、MU-MIMO伝送のためのプリコーディング・マトリクスが、スケジュールされたMU-MIMO伝送ユーザ・セットに対して、このユーザ・セットによってフィードバックされたPMIに従って符号化され変調されたデータをプリコードするように選ばれる。次に、送信装置は、下りリンク制御チャンネル・インジケータによって、プリコーディング・マトリクス、データ伝送層の数（ランク）、コードワードとデータ伝送層の間のマッピング関係、及び対応する変調及び符号化情報をMU-MIMO伝送ユーザ・セットに対して表示する。
【００３３】
ステップＳ６４０での比較によってSU-MIMO伝送が行われると決定された場合、変調及び符号化スキームは、このユーザによってフィードバックされたCQIに従ってSU-MIMO伝送ユーザに対してこのユーザのデータを符号化し変調するように選択される。次に、このユーザによってフィードバックされたPMIに従ってSU-MIMO伝送ユーザに対してSU-MIMO伝送のプリコーディング・マトリクスが符号化され変調されたデータをプリコードするように選択される。次に、送信装置は、下りリンク制御チャンネル・インジケータによって、プリコーディング・マトリクス、データ伝送層の数、及びデータ伝送層、及び対応する変調及び符号化情報をSU-MIMO伝送ユーザ・セットに対して表示する。
【００３４】
ユーザ選択及びスケジューリングが完了した後の、MU-MIMOユーザ・セット又はSU-MIMOユーザに関する変調と符号化、プリコーディング、伝送モードに関する情報をユーザに送信する、などの上記プロセスは現在の処理方式で実施できるものであり、ここでは詳しく説明しない。
【００３５】
下りリンクMIMOシステムにおけるこの下りリンクは、SU-MIMO伝送とMU-MIMO伝送の間で切り換えることができることは分かるであろう。それによってデータ伝送はシステムによっていつでも最適な伝送方法によって実行され、システムの所望の電気通信効率が達成される。
【００３６】
Ｑ組のMU-MIMO伝送候補ユーザ・セットが形成される場合、各候補ユーザ・セットのユーザのRIは同じであっても、同じでなくてもよい。これについて以下でさらに詳しく説明する。
【００３７】
Ｇ’組のユーザ・セットからＱ組のMU-MIMO伝送候補ユーザ・セットを選び、システムのＱ組のMU-MIMO伝送候補ユーザ・セットとSU-MIMO伝送ユーザからMU-MIMO伝送ユーザ・セット又はSU-MIMO伝送ユーザを最高の優先度を有するスケジューされるものとして選ぶ際に、スケジューリング戦略又はスケジューリング・ルールは、システムのスループットを最大にするということである。言い換えると、このMU-MIMO伝送ユーザ・セット又はSU-MIMO伝送ユーザに対応する優先度は、電気通信システムの通信品質に関するパラメータ又は指標であってよい。上記のスケジューリング戦略又はスケジューリング・ルールはまた、ユーザの同等性、遅延特性、及び／又はそれらの組合せに注目する他のスケジューリング戦略であってよい。それに対応して、優先度はシステムのスループット、ユーザの同等性、及び遅延特性、の何らかのパフォーマンス指標を表すもの、又はそれらのパフォーマンス指標の重み付けされた組合せを表すものであってよい。
【００３８】
スケジュールされたユーザが用いるプリコーディング・マトリクス、データ伝送層の数、及びデータ伝送層の間のマッピング関係、すなわちスケジュールされたユーザのコードワードがMU-MIMO伝送のどのデータ伝送層にマップされるか、は、適当な下りリンク制御チャンネル、例えば下りリンク物理制御チャンネルなど、によって送信装置によって表示される。
【００３９】
上述のように、ユーザ・セットAPMI0, APMI1, ・・APMIG’の各ユーザ・セットに関してユーザ組合せを行うとき、比較的良好な伝送条件を有するデータ伝送層を有するユーザたちをそれぞれのデータ伝送層に基づいてMU-MIO伝送候補ユーザ・セットが得られるように組み合わせることが必要である。“補完”組合せのプロセスをもっと良く理解するために、以下では、まず補完組合せの基本原理と組合せ後に得られるすべての可能なMU-MIMO伝送モードをLTEシステムで定められるコードブック（図５Ａ−５Ｂ参照）を例にとって詳しく説明する。組合せによって得られるMU-MIMO伝送モードはまたシステムとデータ伝送層がサポートできるコードワードの間のマッピング関係と一致する必要があることに注意すべきであり、説明を分かりやすくするために、図５Ａ−５Ｄに示されているようなLTEが現在サポートできるマッピング関係を例にとる。
【００４０】
システムの送信アンテナの数がTx=2である場合、あるユーザ・セットAPMIgにおけるユーザの補完組合せは次の２つの場合を含む。ここで、定義マトリクスWr｛d｝はRI=4のプリコーディング・マトリクスの第d列であり、図５Ａに示されているようなコードブックが用いられる。
【００４１】
第一の場合：ユーザiはRI=1をフィードバックし、ユーザjはRI=2をフィードバックし、２人のユーザは２つのデータ伝送層によるMU-MIMO伝送モードで組み合わされる。リソースは次の２つの方式でマップできる。
第一の方式：ユーザiは第一のデータ伝送層にマップされ、対応するプリコーディング・ベクトルがW1｛1｝となり、ユーザjは第二のデータ伝送層にマップされ、対応するプリコーディング・ベクトルがW2｛2｝となる。
第二の方式：ユーザiは第二のデータ伝送層にマップされ、対応するプリコーディング・ベクトルがW1｛1｝となり、ユーザjは第一のデータ伝送層にマップされ、対応するプリコーディング・ベクトルがW2｛1｝となる。ユーザiとユーザjが組み合わされた後、対応するプリコーディング・マトリクスWMUは、マトリクス[W1｛1｝W2｛2｝]又は[W2｛1｝W1｛1｝]にパワー正規化を行って得られる。プリコーディング・マトリクスWMUの各列は直交し、W1｛1｝ = W2｛1｝又はW1｛1｝ = W2｛2｝でなければならない。さもないと、組合せは実行できない可能性がある。すなわち、得られたMU-MIMO伝送ユーザ・セットのプリコーディング・マトリクスは組合せに加わったユーザの一人（ここではユーザj）のプリコーディング・マトリクスと同じである必要がある。
【００４２】
第二の場合：ユーザiはRI=2をフィードバックし、ユーザjはRI=2をフィードバックし、２人のユーザは２つのデータ伝送層によるMU-MIMO伝送モードで組み合わされる。リソースは次の２つの方式でマップできる。
第一の方式：ユーザiは第一のデータ伝送層にマップされ、対応するプリコーディング・ベクトルがW2｛1｝となり、ユーザjは第二のデータ伝送層にマップされ、対応するプリコーディング・ベクトルがW2｛2｝となる。
第二の方式：ユーザiは第二のデータ伝送層にマップされ、対応するプリコーディング・ベクトルがW2｛2｝となり、ユーザjは第一のデータ伝送層にマップされ、対応するプリコーディング・ベクトルがW2｛1｝となる。
【００４３】
送信アンテナの数がTx=4である場合、あるユーザ・セットAPMIgにおけるユーザの補完組合せは次のような場合を含む。ここで、定義マトリクスWr｛d｝はRI=rのプリコーディング・マトリクスの第d列であり、図５Ｂに示されているようなコードブックが用いられる。
【００４４】
第一の場合：ユーザiはRI=1をフィードバックし、ユーザjはRI=2をフィードバックし、２人のユーザは２つのデータ伝送層によるMU-MIMO伝送モードで組み合わされる。ユーザiは第一のデータ伝送層にマップされ、対応するプリコーディング・ベクトルがW1｛1｝となり、ユーザjは第二のデータ伝送層にマップされ、対応するプリコーディング・ベクトルがW2｛2｝となる。
【００４５】
第二の場合：ユーザiはRI=2をフィードバックし、ユーザjはRI=2をフィードバックし、２人のユーザは２つのデータ伝送層によるMU-MIMO伝送モードで組み合わされる。リソースは次の２つの方式でマップできる。
第一の方式：ユーザiは第一のデータ伝送層にマップされ、対応するプリコーディング・ベクトルがW2｛1｝となり、ユーザjは第二のデータ伝送層にマップされ、対応するプリコーディング・ベクトルがW2｛2｝となる。
第二の方式：ユーザiは第二のデータ伝送層にマップされ、対応するプリコーディング・ベクトルがW2｛2｝となり、ユーザjは第一のデータ伝送層にマップされ、対応するプリコーディング・ベクトルがW2｛1｝となる。
【００４６】
第三の場合：ユーザiはRI=2をフィードバックし、ユーザjはRI=3をフィードバックし、２人のユーザは２つ又は３つのデータ伝送層によるMU-MIMO伝送モードで組み合わすことができる。
【００４７】
２つのデータ伝送層によるMU-MIMO伝送モードの場合、ユーザiは第二のデータ伝送層にマップされ、対応するプリコーディング・ベクトルがW2｛2｝となり、ユーザjは第一のデータ伝送層にマップされ、対応するプリコーディング・ベクトルがW3｛1｝となる。
【００４８】
３つのデータ伝送層によるMU-MIMO伝送モードの場合、ユーザiは第一のデータ伝送層にマップされ、対応するプリコーディング・ベクトルがW2｛1｝となり、ユーザjは第二及び第三のデータ伝送層にマップされ、対応するプリコーディング・ベクトルがW3｛2,3｝となる。
【００４９】
第四の場合：ユーザiはRI=1をフィードバックし、ユーザjはRI=3をフィードバックし、２人のユーザは３つのデータ伝送層によるMU-MIMO伝送モードで組み合わされる。ユーザiは第一のデータ伝送層にマップされ、対応するプリコーディング・ベクトルがW1｛1｝となり、ユーザjは第二及び第三のデータ伝送層にマップされ、対応するプリコーディング・ベクトルがW3｛2,3｝となる。
【００５０】
第五の場合：ユーザiはRI=3をフィードバックし、ユーザjはRI=3をフィードバックし、２人のユーザは３つのデータ伝送層によるMU-MIMO伝送モードで組み合わされる。リソースは次の２つの方式でマップできる。
第一の方式：ユーザiは第一のデータ伝送層にマップされ、対応するプリコーディング・ベクトルがW3｛1｝となり、ユーザjは第二及び第三のデータ伝送層にマップされ、対応するプリコーディング・ベクトルがW3｛2,3｝となる。
第二の方式：ユーザiは第二及び第三のデータ伝送層にマップされ、対応するプリコーディング・ベクトルがW3｛2,3｝となり、ユーザjは第一のデータ伝送層にマップされ、対応するプリコーディング・ベクトルがW3｛1｝となる。
【００５１】
第六の場合：ユーザiはRI=3をフィードバックし、ユーザjはRI=4をフィードバックし、２人のユーザは３つ又は４つのデータ伝送層によるMU-MIMO伝送モードで組み合わすことができる。
【００５２】
３つの伝送層でのMU-MIMO伝送モードの場合、ユーザiは第一のデータ伝送層にマップされ、対応するプリコーディング・ベクトルがW3｛1｝となり、ユーザjは第二及び第三のデータ伝送層にマップされ、対応するプリコーディング・ベクトルがW4｛3,4｝又はW4｛1,2｝となる。ユーザiとユーザjが組み合わされた後、対応するプリコーディング・マトリクスWMUは、マトリクス[W3｛1｝W4｛3,4｝]又は[W3｛1｝W4｛1,2｝]にパワー正規化を行って得られる。プリコーディング・マトリクスWMUの各列や直交し、W4｛3,4｝ = W3｛2,3｝又はW4｛3,4｝ = W3｛3,2｝又はW4｛1,2｝ = W3｛2,3｝又はW4｛1,2｝ = W3｛3,2｝でなければならない。さもないと、組合せは実行できない可能性がある。すなわち、得られたMU-MIMO伝送ユーザ・セットのプリコーディング・マトリクスは組合せに加わったユーザの一人（ここではRI=3のユーザi）のプリコーディング・マトリクスと同じであることが必要である。
【００５３】
４つの伝送層でのMU-MIMO伝送モードの場合、リソースは次の２つの方式でマップできる。
第一の方式：ユーザiは第三及び第四のデータ伝送層にマップされ、対応するプリコーディング・ベクトルがW3｛3,2｝となり、ユーザjは第一及び第二のデータ伝送層にマップされ、対応するプリコーディング・ベクトルがW4｛1,2｝となる。ユーザiとユーザjが組み合わされた後、対応するプリコーディング・マトリクスWMUの各列は直交し、W3｛2,3｝ = W4｛3,4｝又はW3｛3,2｝ = W4｛3,4｝でなければならない。さもないと、組合せは実行できない可能性がある。
第二の方式：ユーザiは第一及び第二のデータ伝送層にマップされ、対応するプリコーディング・ベクトルがW3｛3,2｝となり、ユーザjは三及び第四のデータ伝送層にマップされ、対応するプリコーディング・ベクトルがW4｛3,4｝となる。ユーザiとユーザjが組み合わされた後、対応するプリコーディング・マトリクスWMUの各列は直交し、W3｛2,3｝ = W4｛1,2｝又はW3｛3,2｝ = W4｛1,2｝でなければならない。さもないと、組合せは実行できない可能性がある。
【００５４】
第七の場合：ユーザiはRI=4をフィードバックし、ユーザjはRI=4をフィードバックし、２人のユーザは４つのデータ伝送層によるMU-MIMO伝送モードで組み合わすことができる。リソースは次の２つの方式でマップできる。
第一の方式：ユーザiは第一及び第二のデータ伝送層にマップされ、対応するプリコーディング・ベクトルがW4｛1,2｝となり、ユーザjは第三及び第四のデータ伝送層にマップされ、対応するプリコーディング・ベクトルがW4｛3,4｝となる。
第二の方式：ユーザiは第三及び第四のデータ伝送層にマップされ、対応するプリコーディング・ベクトルがW4｛3,4｝となり、ユーザjは第一及び第二のデータ伝送層にマップされ、対応するプリコーディング・ベクトルがW4｛1,2｝となる。
【００５５】
組合せによって得られる対応するプリコーディング・マトリクスはユーザの一人のプリコーディング・マトリクスと同じであってよいことが分かる。言い換えると、個々のユーザのプリコーディング・マトリクスを組合せた後のプリコーディング・マトリクスがユーザの一人のプリコーディング・マトリクスと同じであるならば、それらのユーザたちは補完されない。さらに、補完組合せに加わるユーザのランクは同じであってもなくてもよいことが分かる。
【００５６】
上記の補完をもっと良く理解できるように、上の第三の場合における可能なユーザ組合せについて図７Ａ−７Ｃを参照して以下に説明する。
【００５７】
図７Ａは、ユーザiとユーザjのそれぞれのコードワードとデータ伝送層の間のマッピング関係を示す。図７Ａに示されるように、ユーザiのコードワード１は第一のデータ伝送層にマップされ、ユーザiのコードワード２は第二のデータ伝送層にマップされ、ユーザjのコードワード１は第一のデータ伝送層にマップされ、ユーザjのコードワード２は第二と第三のデータ伝送層にマップされる。
【００５８】
図７Ｂは、２つのデータ伝送層によるMU-MIMO伝送モードの説明図である。図７Ｂに示されるように、ユーザiは第二のデータ伝送層にマップされ、対応するプリコーディング・ベクトルはW2｛2｝であり、対応するフィードバック・チャンネル品質インジケータはCQIi,2である。そして、ユーザjは第一のデータ伝送層にマップされ、対応するプリコーディング・ベクトルはW2｛2｝であり、対応するフィードバック・チャンネル品質インジケータはCQIj,1である。この組合せモードは、ユーザiの第二のデータ伝送層をユーザjの第一のデータ伝送層で“補完”又は“交換”して得られるユーザ組合せに等しい。
【００５９】
図７Ｃは、３つのデータ伝送層によるMU-MIMO伝送モードの説明図である。図７Ｃに示されるように、ユーザiは第一のデータ伝送層にマップされ、対応するプリコーディング・ベクトルはW2｛1｝であり、対応するフィードバック・チャンネル品質インジケータはCQIi,1である。ユーザjは第二と第三のデータ伝送層にマップされ、対応するプリコーディング・ベクトルはW3｛2,3｝であり、対応するフィードバック・チャンネル品質インジケータはCQIj,2である。この組合せモードは、ユーザiの第一のデータ伝送層をユーザjの第二と第三のデータ伝送層で“補完”又は“交換”して得られるユーザ組合せに等しい。
【００６０】
上述したものは、LTEによって定められたコードブックを用いる場合であり、MU-MIMO伝送は図４Ａ−４Ｄで定められるコードワードとデータ伝送層の間のマッピング関係に従っていると仮定しているが。用いられるコードブック及びコードワードとデータ伝送層の間のマッピング関係が変化しても、上述した“補完”組合せの原理に従っていろいろなユーザ組合せが得られるであろうことは容易に理解される。例えば、図５Ａ−５Ｂから、LTEによって定められたコードブックが入れ子の特性及び直交特性を有することが分かる。しかし、本発明の上記のユーザ選択及びユーザ・スケジューリングの方法は、他のタイプのコードブックにも、そのコードブックの種類が入れ子の特性を有する限り、適応できるであろう。本発明の上記のユーザ選択及びユーザ・スケジューリングの方法は、コードブックが入れ子の特性を有する限り、組み合わされたユーザの間のCQIミスマッチングを排除できる。このことから、LTEによって定められたコードブックは入れ子の特性及び直交特性を有し、したがって本発明の上記実施例によるユーザ選択とスケジューリングで、CQIミスマッチングの減少やMU-MIMOユーザの間の干渉の減少などの技術的利点がこの種のコードブックを用いることによって得られ、システムの通信効率が向上することが分かる。すなわち、図５Ａ−５Ｂに示されるLTEによって定められたコードブックを用いるこの実施形態は、実際に好ましい実施形態と言えるものである。
【００６１】
図８は、図６に示されるような下りリンクユーザ選択の方法を示す詳細な流れ図である。この例では、送信装置における送信アンテナの数はTx=4であり、ユーザ装置における受信アンテナの数はRx=4であり、基地局にサービスされる下りリンクMIMO伝送を行うことができるユーザの数はM=5であると仮定する。スケジューリング戦略は、当業者が広く用いている全体スループットを最大にすることである。図５Ｂに示されたLTEコードブックに対応して、PMI=gのコードはWgで表され、Wg｛x｝はWgのx番目の列を表す。RI=2, PMI=9がユーザ１によってフィードバックされ、プリコーディング・マトリクスはW9｛14｝/√2であり、RI=4, PMI=9がユーザ２によってフィードバックされ、プリコーディング・マトリクスはW9｛1234｝/2であり、RI=3, PMI=9がユーザ３によってフィードバックされ、プリコーディング・マトリクスはW9｛134｝/√3であり、RI=2, PMI=15がユーザ４によってフィードバックされ、プリコーディング・マトリクスはW15｛12｝/√2であり。RI=4, PMI=15がユーザ５によってフィードバックされ、プリコーディング・マトリクスはW15｛1234｝/2であると仮定する。CQIi,jはユーザiのj番目のコードワードに対応するCQIを表すために用いる。
【００６２】
ステップＳ８１０−１とＳ８１０−２で、本発明が提供するユーザ選択の方法にしたがって、同じPMIを有するユーザ１，ユーザ２，及びユーザ３が、ユーザ・セットPMI9に対応する一つのグループにまとめられ、ユーザ４とユーザ５はユーザ・セットPMI15に対応する一つのグループにまとめられる。個別のユーザ・セットで、各ユーザのRIは同じであっても同じでなくてもよいことが分かる。
【００６３】
ステップＳ８１０−１とＳ８１０−２で、ユーザ・セットPMI9とユーザ・セットPMI15に関して、そのユーザ・セットでのユーザ組合せが行われる。
【００６４】
上述の説明によれば、ユーザ・セットPMI9においてユーザ１とユーザ３をグループにしてランク２又は３のMU-MIMO伝送ユーザ・セットにすることができ、ユーザ２とユーザ３をグループにしてランク３又は４のMU-MIMO伝送ユーザ・セットにすることができる。ユーザ１とユーザ３をグループにしてランク２のMU-MIMO伝送ユーザ・セットにする場合、ユーザ１に対応するプリコーディング・ベクトルはW9｛4｝/√2であり、ユーザ３に対応するプリコーディング・ベクトルはW9｛1｝/√2であり、MU-MIMO伝送ユーザ・セットのプリコーディング・マトリクスはW9｛14｝/√2によって得られ、これはユーザ１によってフィードバックされたプリコーディング・マトリクスと同じである、すなわち、ユーザ１の第二のデータ伝送層がユーザ３の第一のデータ伝送層で補完されてランク２の組み合わされたユーザ・セットが形成され、このMU-MIMOユーザ・ペアのスループットは(CQI1,2 + CQI3,1)という関数で表される。ユーザ１とユーザ３をグループにしてランク３のMU-MIMO伝送ユーザ・セットにする場合、ユーザ１に対応するプリコーディング・ベクトルはW9｛1｝/√3であり、ユーザ３に対応するプリコーディング・ベクトルはW9｛34｝/√3であり、MU-MIMO伝送ユーザ・セットのプリコーディング・マトリクスはW9｛134｝/√3によって得られ、これはユーザ３によってフィードバックされたプリコーディング・マトリクスと同じである、すなわち、ユーザ１の第一のデータ伝送層がユーザ３の第二と第三のデータ伝送層で補完されてランク３の組み合わされたユーザ・セットが形成され、このMU-MIMOユーザ・ペアのスループットは(CQI1,1 + CQI3,2)という関数で表される。ユーザ２とユーザ３をグループにしてランク３のMU-MIMO伝送ユーザ・セットにする場合、ユーザ２に対応するプリコーディング・ベクトルはW9｛34｝/√3であり、ユーザ３に対応するプリコーディング・ベクトルはW9｛1｝/√3であり、MU-MIMO伝送ユーザ・セットのプリコーディング・マトリクスはW9｛134｝/√3によって得られ、これはユーザ３によってフィードバックされたプリコーディング・マトリクスと同じである、すなわち、ユーザ２の第三と第四のデータ伝送層がユーザ３の第一のデータ伝送層で補完されてランク３の組み合わされたユーザ・セットが形成され、このMU-MIMOユーザ・ペアのスループットは(CQI2,2 + CQI3,1)という関数で表される。ユーザ２とユーザ３をグループにしてランク４のMU-MIMO伝送ユーザ・セットにする場合、ユーザ２に対応するプリコーディング・ベクトルはW9｛12｝/2であり、ユーザ３に対応するプリコーディング・ベクトルはW9｛34｝/2であり、MU-MIMO伝送ユーザ・セットのプリコーディング・マトリクスはW9｛1234｝/2によって得られ、これはユーザ２によってフィードバックされたプリコーディング・マトリクスと同じである、すなわち、ユーザ２の第一と第二のデータ伝送層がユーザ３の第三と第四のデータ伝送層で補完されてランク３の組み合わされたユーザ・セットが形成され、このMU-MIMOユーザ・ペアのスループットは(CQI2,1 + CQI3,2)という関数で表される。
【００６５】
当業者には公知のように、CQIはシステムのスループットと決まった関数関係を有し、それは正比例関係であり、したがって全体のスループットを最大にするというスケジューリング・ルールによれば、(CQI1,2 + CQI3,1)、(CQI1,1 + CQI3,2)、(CQI2,2 + CQI3,1)及び(CQI2,1 + CQI3,2)を比較することは対応するユーザ・セットの対応するシステム・スループットを比較することと等価である。比較することによって、最大のスループットのユーザ・セットがユーザ・セットPMI9の組み合わされたユーザ・セットとして選択される。(CQI2,1 + CQI3,2)が最大であるとすると、ユーザ２とユーザ３が選択されてランク４のMU-MIMO伝送ユーザ・セットにまとめられて、MU-MIMO伝送候補ユーザ・セットとして用いられる。
【００６６】
ユーザ・セットPMI15では、ユーザ４とユーザ５はランク２又は４のプリコーディング・マトリクスを構成できず、それらを組み合わせることはできない。具体的に言うと、ユーザ４はRI=2をフィードバックし、コードワードとデータ伝送層の間のマッピング関係は図４Ｂに示されるようなものである、すなわちコードワードの１つは第一のデータ伝送層にマップされ、コードワードの１つは第二のデータ伝送層にマップされる。ユーザ５はRI=4をフィードバックし、コードワードとデータ伝送層の間のマッピング関係は図４Ｄに示されるようなものである、すなわちコードワードの１つは第一と第二のデータ伝送層にマップされ、コードワードの１つは第三と第四のデータ伝送層にマップされる。明らかに、ユーザ４においては１つのコードワードが１つのデータ伝送層にマップされる構造だけがあり、ユーザ５においては１つのコードワードが２つのデータ伝送層にマップされる構造があり、これら２人のユーザのデータ伝送層の間には補完又は交換組合せが実行できない。
【００６７】
ステップＳ８３０で、MU-MIMOユーザ・セットのスループットとSU-MIMOユーザ１からユーザ５までのシングルユーザ・スループットが比較され、伝送を行うのに最大スループットとなる一つの方式を選択する。ユーザ１のスループットは(CQI1,1 + CQI1,2)の関数であり、ユーザ２のスループットは(CQI2,1 + CQI2,2)の関数であり、ユーザ３のスループットは(CQI3,1 + CQI3,2)の関数であり、ユーザ４のスループットは(CQI4,1 + CQI4,2)の関数であり、ユーザ５のスループットは(CQI5,1 + CQI5,2)の関数である。ユーザ５がSU-MIMOシングル・ユーザでスループットが最大のユーザであるとすると、次に(CQI5,1 + CQI5,2)と(CQI2,1 + CQI3,2)が比較される。もしも(CQI5,1 + CQI5,2)＞(CQI2,1 + CQI3,2)であるならば、ユーザ５がスケジュールされたSU-MIMO伝送ユーザと決定され、ユーザ５のデータがSU-MIMO伝送モードで送信される。そうでない場合は、ユーザ２とユーザ３がランク４のMU-MIMO伝送ユーザ・セットに組み合わされ、このMU-MIMO伝送ユーザ・セットがスケジュールされたMU-MIMO伝送ユーザ・セットと決定され、ユーザ２とユーザ３のデータがMU-MIMO伝送モードで送信される。(CQI5,1 + CQI5,2)＜(CQI2,1 + CQI3,2)である場合、送信装置（基地局など）はユーザ２とユーザ３のデータをMU-MIMO伝送モードで送信し、同時に送信装置はユーザ２とユーザ３が用いているプリコーディング・マトリクス、それぞれのユーザのランク及びマッピング関係を下りリンク制御チャンネルによって表示する。
【００６８】
具体的な例では、それぞれのユーザのマッピング関係は１ビットの情報で表示できる、例えば、“０”はユーザ２とユーザ３のコードワードがデータ伝送層の数の順系列で並んでいること、すなわち、ユーザ２とユーザ３がランク４のスケジュールされたMU-MIMOユーザ・セットとして組み合わされている場合、ユーザ２は第一と第二のデータ伝送層にマップされ、ユーザ３は第二と第三のデータ伝送層にマップされること、を示し、“１”はユーザ２とユーザ３のコードワードがデータ伝送層の数の逆系列で並んでいること、すなわち、ユーザ２とユーザ３がランク３のスケジュールされたMU-MIMOユーザ・セットとして組み合わされている場合、ユーザ２は第二と第三のデータ伝送層にマップされ、ユーザ３は第一のデータ伝送層にマップされること、を示す。このように１ビットの情報で、マッピング関係の順系列又は逆系列を表示する方式は、システムのシングリング（singling）・オーバーヘッドを減らすのに役立つ。
【００６９】
上の説明から、各ユーザ・セットPMIgに関して、得られるMU-MIMO伝送候補ユーザ・セットは、このユーザ・セットで組み合わせることが可能なユーザ・セットから選ばれた予め定められたスケジューリング戦略又はルール（例えば、最大のシステム・スループットという原則）に従ったユーザ・セットであることが分かる。したがって、このMU-MIMO伝送候補ユーザ・セットは、実際には良好な伝送条件のデータ伝送層を有する個々のユーザをそれぞれのデータ伝送層で互いに補完するように組み合わせて得られるユーザ・セットであると考えることができる。それに対応して、このMU-MIMO伝送候補ユーザ・セットでは、補完に加わる層の伝送条件によって決められるユーザ・セットの伝送条件はこのユーザ・セットのすべての可能な組合せのうちで最適な条件になっている。
【００７０】
上記の例では、スケジュールされたMU-MIMO伝送ユーザ・セットは２人のユーザを含んでいるが、比較的良好な伝送条件を有する個々のユーザのデータ伝送層が互いに補完してMU-MIMO伝送のためのデータ伝送層を構成する限り、３人以上のユーザを含むこともできる。
【００７１】
さらに、上記の例では、優先度が最も高いユーザ・セットが複数のMU-MIMO伝送候補ユーザ・セットから選択され、次にこのユーザ・セットが個別のSU-MIMOユーザと比較されて、スケジュールされたMU-MIMO伝送ユーザ・セット又はSU-MIMO伝送ユーザが決定される。しかし、すべてのMU-MIMO伝送ユーザを直接にSU-MIMO伝送ユーザと比較して、予め定められたスケジューリング戦略に従ってスケジュールされたMU-MIMO伝送ユーザ・セット又はSU-MIMO伝送ユーザを選択することもできるということは当業者には理解されるであろう。
【００７２】
図９は、本発明のある実施形態に係わる電気通信システムの下りリンク・マルチユーザ多入力多出力（MU-MIMO）伝送と下りリンク・シングルユーザ多入力多出力（SU-MIMO）伝送の間での動的な切り換えに用いられる送信装置を示す。図９に示されるように、この送信装置９００は、ユーザ選択ユニット９１０とユーザ選択情報送信ユニット９２０を含む。ユーザ選択ユニット９１０は、この電気通信システムにおいてMIMO伝送を実行出きる少なくとも２人のユーザによってSU-MIMOのシングルユーザ・フィードバック方式でフィードバックされたMIMO伝送に関する情報に基づいて、同じプリコーディング・マトリクス・インジケータ（PMI）を有するユーザたちを一つのユーザ・グループにまとめ、各ユーザ・グループに関して予め定められたスケジューリング戦略に基づいて、そのユーザ・グループのユーザたちにそれぞれの比較的に良好な伝送条件のデータ伝送層を互いに補完させてそのユーザ・グループに対応する候補ユーザ・セットを形成し、この候補ユーザ・セットがこの補完に加わっている層の伝送条件で決まる最適な組合せ伝送条件を有するようにし、すべての少なくとも２人のユーザを含むユーザ・グループに関して得られた候補ユーザ・セットの間で比較を行って、最高の優先度を有する候補ユーザ・セット又はユーザを決定して、MU-MIMO伝送を行うスケジュールされたMU-MIMO伝送ユーザ・セット又はSU-MIMO伝送を行うスケジュールされたSU-MIMO伝送ユーザとする。ここで、上記スケジュールされたMU-MIMO伝送ユーザ・セットのユーザたちは同じランク又は異なるランクを有し、上記優先度は電気通信システムの通信品質に関係している。ユーザ選択情報送信ユニットは、ユーザ選択ユニット９２０によって決められた上記スケジュールされたMU-MIMO伝送ユーザ・セットの各ユーザの伝送モードに関する情報をそれぞれのスケジュールされたユーザに送信しるように構成され、この情報が下りリンクMU-MIMO伝送に用いられる。図９には、本発明の核心の理解がぼやけることがないように送信装置に共通する構成要素は示されていないことに注意したい。
【００７３】
本発明のこの実施形態に係わる送信装置９００は、図３−８に関連して説明され、図面には詳細に示されていないが本発明で完全に開示されているいろいろな機能に合わせて構成される。上記送信装置９００の個別の構成要素はソフトウエア、ハードウエア、又はそれらの組合せによって構成できる。構成するための具体的な手段や適当な方法は当業者には周知であり、ここでは詳しくは述べない。
【００７４】
図９に示されるような本発明に係わる送信装置９００が、電気通信システムにおける基地局、例えば図１に示されるような電気通信システムにおける基地局１２として、又はたこの種の送信装置の機能を実行できる他の適当な電気通信装置として、実現できるということは当業者には理解されるであろう。例えば、ある電気通信システムにおいて、ユーザ選択及びスケジューリングが下りリンクMIMO伝送で行われ、スケジュールされたユーザの伝送条件に関する情報の対応するユーザへの送信が基地局によってではなく他の電気通信装置によって実行される、又は他の電気通信装置と調整して基地局によって実行される場合、明らかにこの種の他の電気通信装置は本発明に係わる上記送信装置の範囲に含まれると考えられる。
【００７５】
上の説明から、下りリンクMU-MIMO伝送と下りリンクSU-MIMO伝送の間の動的な切り換えで用いられるユーザ選択とユーザ・スケジューリングの方法によれば、SU-MIMO伝送のCQIとMU-MIMO伝送のCQIのミスマッチングという問題は、同じPMIを有するがRIは同じ又は異なっているユーザを組み合わせることによってより良く解決されることが分かる。この方法によれば、ユーザは異なるランクの場合でも選択することができ、ユーザを選択する範囲が広がる。この方法は、各ユーザの高ランク伝送モードとSU-MIMO伝送とMU-MIMO伝送の間の切り換えをサポートするので、システムのスループットが向上する。さらに、LTEシステムで定められるコードブックが下りリンクMU-MIMO伝送におけるユーザ選択とスケジューリングで用いられるならば、同じPMIを有するユーザを同じグループにまとめることによってプリコーディング・マトリクス（ベクトル）の間の直交性が保証され、MU-MIMO伝送におけるユーザ間の干渉がさらに回避される。さらに、LTEシステムで定められるコードブックを用いることによって、下向き互換性も保証される。
【００７６】
下りリンクMU-MIMO伝送と下りリンクSU-MIMO伝送の間の準静的切り換えで用いられるユーザ・フィードバックとユーザ選択及びスケジューリングの方法、送信装置、及びユーザ装置について、図１０−１４と併せて以下で説明する。
【００７７】
図１０は、本発明の他の実施形態に係わるユーザ・フィードバックとユーザ選択及びスケジューリングの方法を示す単純化された流れ図である。図１０に示されるように、ユーザ・フィードバック・ステップで、電気通信システムにおいてMIMO 伝送を実行できる少なくとも２人のユーザの各々が、良好な伝送条件を有するユーザのデータ伝送層と一対一対応する少なくとも２つのチャンネル品質インジケータ（CQIs）をフィードバックする。ユーザ選択ステップで、予め定められたスケジューリング・ルールに基づいて、該少なくとも２人のユーザに関して、該少なくとも２人のユーザによってフィードバックされたすべてのCQIsに従って選択とスケジューリングが行われ、MU-MIMO伝送を行うためのスケジュールされたMIMO伝送ユーザ・セットが決定される、ここで上記スケジュールされたMIMO伝送ユーザ・セットの各ユーザはひとつのコードワード又は複数のコードワードに対応する。ユーザ選択情報送信ステップで、上記スケジュールされたMIMO伝送ユーザ・セットの各ユーザの伝送モードに関する情報がそれぞれのスケジュールされたユーザに送信され、その情報は下りリンクMU-MIMO伝送で用いられる。
【００７８】
図１１は、本発明のある実施形態に係わるユーザ・フィードバックとユーザ選択及びスケジューリングの方法のある具体例を示す単純化された流れ図である。ただし、送信装置は、ユニタリー・マトリクスに基づくプリコーディング・モードを用いている。図１１に示されるように、このユーザ・フィードバックとユーザ選択及びスケジューリングの方法は具体的に次のステップを含む。
【００７９】
ステップＳ１１１０で、ユーザ装置において、個別ユーザは、システムによって予め定められたMU-MIMO伝送モードによって、現在の最適RI, PMI, 及びL COQ値をフィードバックする。L個のCQI値は、MU-MIMOシステムにおけるML個のデータストリームで最大スループットを有するL個のデータストリームに対応する、ここで、MLはMU-MIMO伝送のランクである。この方法では、ユーザ装置はデータ伝送層の単位でCQIをフィードバックするが、現在の下りリンクMU-MIMO伝送ではユーザ装置はCQIをそのコードワードの単位でフィードバックすることが分かる。
【００８０】
ステップＳ１１２０で、送信装置（基地局など）は、サービスするＭ人のユーザから、ユーザからフィードバックされたPMIsによって、同じPMIを有するユーザをグループにしてユーザ・セットAPMI0, APMI1, ・・, APMIGにする。
【００８１】
ステップＳ１１３０で、各ユーザ・セットAPMIgから、最も高い優先度を有するＫ人のユーザがあるスケジューリング戦略に従って組合せを行うために選択される、ここでＫ人のユーザのデータ伝送層の総数がMLに等しい。
【００８２】
ステップＳ１１４０で、送信装置は、各ユーザ・セットAPMIgにおけるＫ人の組み合わされたユーザから、最適のユーザ・セットをMU-MIMO伝送ユーザ組合せ候補として選択する、ここで、ひとつのセットのＫ人のユーザのデータ伝送層の総数がMLに等しい。次に、すべてのユーザ・セットに関して得られたMU-MIMO伝送ユーザ組合せ候補から最も高い優先度を有するユーザ・セットがMU-MIMO伝送を行うためのスケジュールされたMU-MIMO伝送ユーザ・セットとして選択される。
【００８３】
本発明のこの実施形態に係わるユーザ・フィードバックとユーザ選択及びスケジューリングの方法では、例えば下りリンク制御チャンネルによって、送信装置は、スケジュールされたMU-MIMO伝送ユーザのプリコーディング・マトリクス、データ伝送層の数、及びスケジュールされたユーザのデータストリームのマッピング関係を表示することができる。
【００８４】
本発明のこの実施形態に係わる下りリンクMU-MIMO伝送と下りリンクSU-MIMO伝送の間の準静的切り換えで用いられるユーザ・フィードバックとユーザ選択及びスケジューリングの方法では、MU-MIMO伝送がまずシステムによって予備的に決定され、上で述べた下りリンクMU-MIMO伝送と下りリンクSU-MIMO伝送の間の動的切り換えで用いられるユーザ・フィードバックとユーザ選択及びスケジューリングの方法と比較して、この実施形態による方法がMU-MIMO伝送におけるユーザ選択及びスケジューリングの“準静的”な方法と呼ばれるということに注意しておきたい。言い換えると、この特定時期においては、MU-MIMOとSU-MIMOの間で切り換えることなくMU-MIMO伝送を行うことが決定されており、したがってこの方法は、上述の“動的な切り換え”法と同じではない。しかし、この決定されたMU-MIMO伝送は特定時期だけに行われるものであって、いつでも行われるものではなく、したがって完全に静的なモードではなく、“準静的”切り換え法と呼ばれる。それに対応して、システムが予備的に決定するMU-MIMO伝送のパラメータはこのMU-MIMO伝送のランクとユーザ装置によってフィードバックされるなければならないCQIの数などである。システムの現在の通信リソースの割り当てとある時期における通信歴情報の１つ、又は２つの組合せにより、システムがこのMU-MIMO伝送のランクを予め決めることもある。例えば、ある時期にシステムがMU-MIMO伝送を用いる可能性が高く、現在のシステムの通信リソースが比較的理想の状態に近い場合、次の時期にもMU-MIMO伝送を行うように決めて、システムのスループットを高め、システムのユーザ間の干渉を減らすようにすることができる。さらに、ユーザ装置の伝送条件についての事前の（priori）判断によって、システムはユーザ装置がフィードバックする必要があるCQIの数を決めることもできる。例えば、比較的長い期間、２つのデータ伝送層に対応するあるユーザの伝送条件が良好である場合、システムは、ユーザがフィードバックした２つのCQIsをユーザ組合せに用いることができる。これによれば、各ユーザがフィードバックするCQIの数Lは同じであっても異なっていてもよい。各ユーザの伝送条件は同じでなくてもよく、各ユーザによってフィードバックされるCQIの数は同じでなくても良いことは容易に理解できる。
【００８５】
上述したように、本発明のこの実施形態に係わるユーザ選択及びスケジューリングの方法では、各ユーザはCQIをデータ伝送層の順序でフィードバックするが、コードワードは従来の方法のようにフィードバックしない。それにより、あるユーザの複数のデータ伝送層が良好な伝送条件を有する場合、システムはユーザによってフィードバックされるこれら複数のデータ伝送層に対応する複数のCQIsを用いて、MU-MIMO伝送におけるユーザ選択及びスケジューリングで使用することができる。言い換えると、このユーザのフィードバックの方式は、送信装置における各ユーザの複数のコードワード／層の伝送モードをサポートし、ユーザ・セットを選択する範囲を広げ、システムが得られるマルチユーザ・ダイバーシティ利得とシステム・スループットの確実に増加させ、信号オーバーヘッドを減少させる。ユーザ装置では、複数のコードワード／層のチャンネル品質インジケータがフィードバックされ、各ユーザによる複数のコードワード／層伝送を選択するために必要な情報を提供する。
【００８６】
図１２は、図１１に示されるような下りリンクMU-MIMO伝送と下りリンクSU-MIMO伝送の間の準静的切り換えで用いられるユーザ・フィードバックとユーザ選択及びスケジューリングの方法を示す詳細な流れ図である。送信装置でユニタリー・マトリクスに基づくプリコーディング・モードが用いられるとすると、この実施形態のユーザ・フィードバックとユーザ選択及びスケジューリングの方法は具体的に次のようなステップを含む。
【００８７】
ステップＳ１２１０で、ユーザ装置において、個々のユーザがシステムによって予め定められたMU-MIMO伝送モードに従って現在の最適なRI, PMI, L個のCOQ値をフィードバックする。L個のCQI値は、MU-MIMOシステムにおけるML個のデータストリームで最大のスループットを有するL個のデータストリームに対応する。MU-MIMO伝送のランクがML=4であるとすると、各ユーザによってフィードバックされるCQIの数L=2であり、CQIi,jでユーザiのj番目のコードワードに対応するCQIを表す。ユーザ１に関しては第一及び第三のデータ伝送層のCQIsが最大であり、ユーザ２に関しては第二及び第三のデータ伝送層のCQIsが最大であり、ユーザ３に関しては第二及び第四のデータ伝送層のCQIsが最大であり、ユーザ４に関しては第一及び第二のデータ伝送層のCQIsが最大であり、ユーザ５に関しては第二及び第四のデータ伝送層のCQIsが最大であると仮定する。すると、ユーザ１は、CQI1,1とCQI1,3をフィードバックし、ユーザ２は、CQI2,1とCQI2,3をフィードバックし、ユーザ３は、CQI3,2とCQI3,4をフィードバックし、ユーザ４は、CQI4,1とCQI4,2をフィードバックし、ユーザ５は、CQI5,2とCQI5,4をフィードバックする。
【００８８】
ステップＳ１２２０−１とＳ１２２０−２で、基地局はユーザをグループ分けし、サービスが提供されている下りリンクMU-MIMO伝送を実行できる５人のユーザで、ユーザによってフィードバックされたPMIに従って同じPMIを有するユーザをひとつのグループにする。ユーザ１，ユーザ２，及びユーザ５が同じPMIを有してユーザ・セットPMI1に対応し、ユーザ３とユーザ４が同じPMIを有してユーザ・セットPMI2に対応すると仮定する。
【００８９】
ステップ１２３０で、ユーザ・セットPMI1とPMI2に関して、そのユーザ・セットのユーザが選択される。ある具体的なステップ戦略では、優先度が最も高いＫ人のユーザが各ユーザ・セットから組み合わせるために選択され、Ｋ人のユーザに対応するデータ伝送層の総数がMLに等しい。ユーザ・セットPMI1に関して、CQI5,4> CQI1,3> CQI2,3> CQI1,1> CQI5,2> CQI2,2とすると、基地局はユーザ１とユーザ５はユーザ・セットPMI1のMU-MIMO伝送候補ユーザ・セットであると決定し、ユーザ１とユーザ５のデータがMU-MIMO伝送モードで送信され、そこでユーザ１はMU-MIMO伝送で第一のデータ伝送層と第三の伝送層にマップされ、ユーザ５はMU-MIMO伝送で第二のデータ伝送層と第四の伝送層にマップされる。ユーザ・セットPMI5に関して、ユーザ３とユーザ４は組み合わせるためのランク４のユニタリー・マトリクスを構成できない。したがって、ユーザ１とユーザ５がスケジュールされた下りリンクMU-MIMO伝送ユーザ・セットとなる。
【００９０】
上記の実施形態で、ユーザ３とユーザ４を組み合わせて別のMU-MIMO伝送候補ユーザ・セットを構成することができる場合、予め定められたスケジューリング戦略（例えば、システムの全スループット最大という原則）に従って、２つのユーザ・セットがさらに比較され、スループットが大きい方のユーザ・セットがスケジュールされたMU-MIMO伝送ユーザ・セットとして選択される。
【００９１】
ある好ましい実施形態では、ユーザが現在の最適なRI, PMI 及び複数のCQI値をフィードバックするときに、ユーザ装置は複数のデータストリームに対応するCQI値をそれぞれ計算して最初のＬ個のCQI値を大きい順にフィードバックする。
【００９２】
ユーザが現在の最適なRI, PMI 及び複数のCQI値をフィードバックするときに、送信装置がユニタリー・マトリクスに基づくプリコーディング・モードを用いる場合、“3GPP LTE 技術的原理とシステム設計”（People’s Posts and Telecom Press to the Shen Jia, Shiqiang Suo, et al.）に記載されている次の式（１）を用いてj番目のデータストリームに対応するSINR（信号体干渉雑音比）を計算できる。
【００９３】
【数１】
2013502780.tif 000003
【００９４】
ここで、uiはユーザ装置における荷重ベクトル、Hi=FGiはプリコーディング・マトリクスGiを用いる場合の等価チャンネル、そしてσn2はガウス雑音の分散である。
【００９５】
SINRとCQIの間には決まった関係があることは当業者に公知であり、CQI値は対応するSINRの値を用いて、例えばSINRとCQIの間のLTE標準で定められた関係を反映する表を調べて求めることができる。
【００９６】
ある特定の実施形態では、優先度が最も高いＫ組のユーザ・セットが特定のステップ戦略に従って選択される場合、システム・スループット最大をスケジューリング戦略又はスケジューリング・ルールとして用いることができる。ユーザの平等性、遅延特性、
及び／又はそれらの組合せ、に注目する他のスケジューリング戦略を採用することもできる。さらに、伝送ユーザに対応する優先度は通信システムの通信品質に関するパラメータ又は指標であってもよい、例えば、優先度はシステム・スループット、ユーザの平等性、及び遅延特性、のいずれか１つであっても、又はこれらの性能指標のある重み付けアレーであってもよい。
【００９７】
優先度が最も高いＫ組のユーザ・セットが特定のスケジューリング戦略に従って選択されると、各ユーザは１つ又は複数のコードワードにマップされる。基地局は、ユーザの各コードワードに対して１つ又は複数のデータストリームを割り当てることができる。
【００９８】
ある特定の実施形態では、基地局がユーザの各コードワードに対して複数のデータストリームを割り当てるとき、基地局は特定の適合変調及び符号化アルゴリズムに従って、例えば、各コードワードのCQI値と、コードワードをデータストリームにマップした後のコーディング・ブロックの長さの両方を考慮して、各コードワードの選択されたCQI情報に基づいてシングル・コードワード変調と符号化モードの組合せを決定する。それによって、この変調と符号化モードに対応するスペクトル効率が、各コードワードの変調と符号化に対応するスペクトル効率の平均になる。選択された変調と符号化モードに従って複数のコードワードが結合され、単一コードワードの長さが選択される。図１２に示された例では、スケジュールされたMU-MIMO伝送ユーザ・セットで、ユーザ１はMU-MIMO伝送の第一及び第三のデータ伝送層にマップされ、図１２の左下隅に示されているように各層がシングル・コードワードに対応する。図１２の右下隅に示されているように２つの層がシングル・コードワードに対応することもできる。データ層のフレキシブルなマッピング・メカニズムは下りリンク信号オーバーヘッドを減らし、システムの伝送効率を改善する。例えば、現在のシステム・リソースが個々のデータ通信層をシングル・コードワードにマップするために必要な信号オーバーヘッドをサポートするのに十分でない場合、ユーザの複数のコードワードを合体させて上記モードでひとつのコードワードにすることができる。
【００９９】
別の実施形態では、あるユーザのコードワードを結合するさい、この変調及び符号化モードに対応するスペクトル効率が、各コードワードの変調及び符号化モードに対応するスペクトル効率の荷重結合値になるようにする、又はこの変調及び符号化モードに対応するスペクトル効率が、各コードワードの変調及び符号化モードに対応するスペクトル効率の最大値又は最小値になるようにする。
【０１００】
上述したユニタリー・マトリクスに基づくプリコーディング・モードを除き、下りリンクMU-MIMO伝送と下りリンクSU-MIMO伝送の間の準静的切り換えで用いられるユーザ・フィードバックとユーザ選択及びスケジューリングの方法はZero-Forcingビームフォーミングに基づくプリコーディング・モードなどにも適応できる。送信装置がZero-Forcingビームフォーミングに基づくプリコーディング・モードを用いるとき、“限定されたフィードバックの下りリンク・マルチユーザMIMOシステムに関するトランシーバ設計とチャンネル量子化”、IEEE Journal on Selected Area in Communications, Volume: 26, Issue: 8, page(s): 1494-1504, Trivellato, M. Boccardi, F. Huang, H. 又は submission “多数のUE受信アンテナでのMU-MIMOフィードバックの比較”、by Philips corporation in 3GPP TGS RAN WGI Meeting 47bits )(RI-070346)、に開示されているj番目のデータストリームに対応するCQIを計算するための次の式（２）
【０１０１】
【数２】
2013502780.tif 000004
【０１０２】
ここで、heffjは等価チャンネル、θjは等価チャンネルheffj, cosθj=（略）,と量子化されたベクトルhjの間の角度、Pは全送信電力、そしてMはMU-MIMO伝送のランクである。
【０１０３】
本発明のこの実施形態に係わるユーザ・フィードバックとユーザ選択及びスケジューリングの上記の方法では、送信装置がユニタリー・マトリクスに基づくプリコーディング・モードを用いるならば、システムはCQIのミスマッチングの問題を良く解決できる。送信装置がZero-Forcingビームフォーミングに基づくプリコーディング・モードを用いるならば、システムは複数ユーザの間の干渉の問題を良く解決できる。
【０１０４】
さらに、本発明の実施形態に係わるこの方法では、複数CQIがフィードバックされるメカニズムが設けられており、MU-MIMO伝送におけるユーザの複数コードワード又は複数データストリーム伝送が柔軟にサポートされているので、ユーザ選択の自由度が大きく、高いマルチユーザ・ダイバーシティ利得が得られる。
【０１０５】
本発明の実施形態に係わるユーザ・フィードバックとユーザ選択及びスケジューリングのこの方法では、送信装置は、スケジュールされたMU-MIMO伝送ユーザのプリコーディング・マトリクス、データ伝送層の数、及びスケジュールされたユーザのデータストリームのマッピング関係を下りリンク制御チャンネルによって表示することができる。
【０１０６】
図１３は、本発明のある実施形態に係わる電気通信システムにおける下りリンク・マルチユーザ多入力多出力（MU-MIMO）伝送と下りリンク・シングルユーザ多入力多出力（SU-MIMO）伝送の間の準静的な切り換えで用いられる送信装置を示す単純化されたダイアグラムである。この送信装置１３００は、ユーザ選択ユニット１３１０とユーザ選択情報送信ユニット１３２０を含む。ユーザ選択ユニット１３１０は、予め定められたスケジューリング・ルールに基づいて、この電気通信システムでMU-MIMO伝送を実行できる少なくとも２人のユーザに関して、この少なくとも２人のユーザの各々によってフィードバックされた前記各ユーザの良好な伝送条件を有するデータ伝送層と一対一で対応する少なくとも２つのCQIsを含むすべてのチャンネル品質インジケータ（CQIs）に
よって選択とスケジューリングを行って、スケジュールされたMU-MIMO伝送ユーザ・セットを決定するように構成されている、ここで、前記スケジュールされたMU-MIMO伝送ユーザ・セットの各ユーザはひとつのコードワードマルチユーザ複数のコードワードに対応する。ユーザ選択情報送信ユニット１３２０は、前記スケジュールされたMU-MIMO伝送ユーザ・セットの各ユーザの伝送モードに関する情報をそれぞれのスケジュールされたユーザに送信するように構成され、この情報はMU-MIMO伝送に用いられる。本発明の核心の理解が曖昧にならないように、送信装置に共通する構成要素は図１３には示されていないことに注意したい。
【０１０７】
本発明のこの実施形態に係わる送信装置１３００は、図１０−１２を参照して説明したいろいろな機能に合わせて構成され、それらは本発明において完全に開示されているが図面には詳細に示されていない。
【０１０８】
本発明に係わる図１３に示されたような送信装置１３００は、電気通信システムにおける基地局として実施できること、そしてまた、この種の送信装置の機能を実現できる適当な電気通信装置としても実施できること、は当業者には理解されるであろう。例えば、何らかの通信システムにおいて、下りリンクMU-MIMO伝送でユーザ選択及びスケジューリングが行われ、スケジュールされたユーザの伝送条件に関する情報の送信が基地局ではなく他の通信装置によって実行される、又は基地局が他の通信装置と調整して実行される場合、この種の他の通信装置は明らかに本発明に係わる上記送信装置１３００の範囲に含まれると考えるべきである。
【０１０９】
図１４は、本発明のある実施形態に係わる電気通信システムにおける下りリンク・マルチユーザ多入力多出力（MU-MIMO）伝送と下りリンク・シングルユーザ多入力多出力（SU-MIMO）伝送の間の準静的切り換えで用いられるユーザ装置１４００を示す単純化されたダイアグラムである。このユーザ装置１４００はユーザ情報フィードバック・ｙヌイット１４１０を含み、これはシステムの送信装置に良好な伝送条件を有するユーザ装置のデータ伝送層と一対一で対応する少なくとも２つのチャンネル品質インジケータ（CQIs）をフィードバックするように構成される、ここで該CQIsはMU-MIMO伝送とSU-MIMO伝送の間の準静的切り換えで送信装置によって行われるユーザ選択及びスケジューリングで用いられる。同様に、本発明の核心についての理解がぼやけることがないように、送信装置に共通するコードワードは図１４には示されていない。
【０１１０】
ある好ましい実施形態では、ユーザ装置の伝送条件に関する事前の判断によって、システムはまたユーザ装置によってフィードバックされる必要があるCQIsの数を決定することもできる。
【０１１１】
図１４に示されるような本発明によるユーザ装置１４００は電気通信システムにおける移動局として、例えば、図１に示されたような電気通信システムにおける移動局１０又は１０’として実施できること、そしてまたこの種のユーザ装置の機能を実現できる他の適当な通信装置としても実施できることは当業者には理解されるであろう。例えば、何らかの電気通信システムにおいて、下りリンクMU-MIMO伝送でユーザ選択及びスケジューリングが行われ、スケジュールされたユーザの伝送条件に関する情報の対応するユーザへの送信がユーザ装置ではなく他の通信装置によって実行される場合、又は他の通信装置と調整してユーザ装置によって実行される場合、この種の他の通信装置は明らかに本発明に係わる上記ユーザ装置の範囲に含まれると考えるべきである。
【０１１２】
上記のユーザ装置及びユーザ装置の個々の構成要素はソフトウエア、ハードウエア、又はそれらの組合せで構成できるということに注意したい。その構成に適した具体的な手段又は方式は当業者には周知であり、ここでは詳しく述べない。
【０１１３】
上述の詳細な説明はLTEシステムと合わせてなされているが、本発明の実施形態に係わる下りリンクMU-MIMO伝送と下りリンクSU-MIMO伝送の間の動的又は準静的切り換えで用いられるユーザ選択及びユーザ・スケジューリングの方法は、それだけに限定されないがWiMax/WiFi通信システムなど、他の同様の電気通信システムでも用いることができるということは当業者には理解されるであろう。
【０１１４】
本発明の他の実施形態は、さらに、本発明の実施形態に係わる送信装置やユーザ装置を含む下りリンクMIMO電気通信システムを提供する。
【０１１５】
さらに、本発明の個々の実施形態に係わる方法は、機械で読み取り可能な命令コードを含むプログラム製品によって実施できる。これらの命令コードはコンピュータなどの機械によって読み取られて実行され、本発明の実施形態に係わる下りリンクMU-MIMO伝送と下りリンクSU-MIMO伝送の間の動的又は“準静的”な切り換えで用いられるユーザ選択及びユーザ・スケジューリングの方法の個々の工程を実施する。このプログラム製品は、オブジェクト・プログラム、インタプリタによって実行されるプログラム、又はオペレーティング・システムに提供されるスクリプト・プログラムなど、どんな形態であってもよい。
【０１１６】
それに対応して、機械に読み取り可能な命令コードを含む上記プログラム製品を格納する機械で読み取り可能な記憶媒体も本発明の開示に含まれる。記憶媒体は、光ディスク、磁気ディスク、メモリカード、などを含むが、それだけに限定されない。
【０１１７】
本発明の実施形態についての上の説明で、ある実施形態に関して説明及び／又は導入された特性は、ひとつ以上の他の実施形態で、他の実施形態における特性と組み合わせて、又は他の実施形態における特性を置き換えるように、同じ又は同様の方式で用いることができる。
【０１１８】
さらに、本発明の方法は、この明細書で説明されたような時間順序で行われるものに限定されず、他の時間順序で、同時的に、又は独立に行われてもよい。したがって、この明細書に記載された実行順序は本発明の技術的範囲を限定するものではない。
【０１１９】
最後に、本発明では、“第一”及び“第二”などの関係用語は、ある実在物又は操作を他の実在物又は操作と区別するだけのために用いられており、それらの実在物又は操作の間に実際の関係又は順序はあるということを確かに要求又は表示してはいない。さらに、“含む”、“備える”又は他の文法的な変形は、“備える”の包含的意味で用いられており、一連の要素を含むプロセス、方法、物品、又はデバイスは、それらの要素だけでなく、リストされていない他の要素も含み、さらに、このプロセス、方法、物品、又はデバイスに内在する要素も含む。それ以上なにも制限がない場合、“あるものを含む”というセンテンスで定義される要素は、前記要素を含むプロセス、方法、物品、又はデバイスに他の同じ要素は何もないということを表していない。
【０１２０】
本発明とその利点について詳しく説明したが、いろいろな変形、変更、及び変改が、添付された特許請求の範囲で定められる本発明の精神と範囲から逸脱することなく可能であることは言うまでもない。さらに、本出願の範囲は、手順、装置、製造、材料の構造、手段、方法、ステップの説明された特定の実施形態に限定されない。本発明によれば、現在の手順、装置、製造、材料の構造、手段、方法、ステップ、及びここで説明されたと同様な機能を果たす今後開発されるものを用いて、同様の結果を得ることが可能であることは当業者には容易に理解されるであろう。
【図１】
2013502780.tif 000005
【図２】
2013502780.tif 000006
【図３】
2013502780.tif 000007
【図４Ａ】
2013502780.tif 000008
【図４Ｂ】
2013502780.tif 000009
【図４Ｃ】
2013502780.tif 000010
【図４Ｄ】
2013502780.tif 000011
【図５Ａ】
2013502780.tif 000012
【図５Ｂ】
2013502780.tif 000013
【図６】
2013502780.tif 000014
【図７Ａ】
2013502780.tif 000015
【図７Ｂ】
2013502780.tif 000016
【図７Ｃ】
2013502780.tif 000017
【図８】
2013502780.tif 000018
【図９】
2013502780.tif 000019
【図１０】
2013502780.tif 000020
【図１１】
2013502780.tif 000021
【図１２】
2013502780.tif 000022
【図１３】
2013502780.tif 000023
【図１４】
2013502780.tif 000024
【国際調査報告】
2013502780.tif 000025
2013502780.tif 000026
2013502780.tif 000027
2013502780.tif 000028
2013502780.tif 000029
2013502780.tif 000030